(57)【特許請求の範囲】
【請求項１】
第１通信ノードは、報告しようとする指示情報を確定し、前記指示情報は、前記第１通信ノードが近接サービスをサポートする能力情報を指示するためのものであることと、
前記第１通信ノードは、前記指示情報を第２通信ノードに報告することと、を含み、
前記近接サービスをサポートする能力情報は、
ＵＥが近接サービスを受信及び送信することをサポートするbandの、及びbandの上り帯域の又は下り帯域の指示情報、
ＵＥが近接サービスを受信及び送信することをサポートする上り帯域の指示情報、
ＵＥが近接サービスを受信及び送信することをサポートする下り帯域の指示情報、
セルラー通信のbandパラメータセット及び近接サービスのbandパラメータセットからなるパラメータ組合せの指示情報、ここで、ＵＥがセルラー通信のbandと近接サービスのbandでセルラー通信と近接サービスを同時に受信することをサポートし、
近接サービスをサポートするbandクラス情報、
ＵＥがセルラー通信及び近接サービスを同時に受信することをサポートするbandに対する特定のband組合せの指示、
近接サービス専用受信機をサポートする指示情報、
近接サービス専用送信機をサポートする指示情報、
すべての受信リンク数の指示情報、
すべての送信リンク数の指示情報、
近接サービス用をサポートする受信リンク数の指示情報、
近接サービス用をサポートする送信リンク数の指示情報、
指示したbandで近接サービスを受信するのにギャップ（Gaps）を必要とするか否かの指示情報、
指示したbandで近接サービスとセルラー通信を同時に又は並行して受信できるか否かの指示情報、のうちの少なくとも１つを含み、
前記近接サービスは、サイドリンクディスカバリ、サイドリンク通信のうちの少なくとも１つを含み、前記上り帯域は、前記第１通信ノードが現在接続又は常駐しているシステムにおいて設定された上り周波数であり、前記下り帯域は、前記第１通信ノードが現在接続又は常駐しているシステムにおいて設定された下り周波数であり、前記システムは、進化型ユニバーサルモバイルテレコミュニケーションシステム地上無線アクセスＥＵＴＲＡ、ユニバーサルモバイルテレコミュニケーションシステム地上無線アクセスＵＴＲＡのうちの少なくとも１つを含み、
前記第１通信ノードが前記指示情報を確定する前に、
前記第１通信ノードと前記第２通信ノードは、前記第１通信ノードがサポートするすべての帯域範囲と帯域インデックス値の組合せとの対応関係を予め設定し終わり、前記対応関係における各帯域範囲がそれぞれ１つの帯域インデックス値に対応することをさらに含み、
前記第１通信ノードが前記指示情報を確定することは、
前記第１通信ノードは、第１インデックス値の組合せに対応した帯域範囲でのＥＵＴＲＡネットワークデータの送受信及び第２インデックス値の組合せに対応した帯域範囲での近接サービスデータの送受信を同時にサポートする場合、前記第１インデックス値の組合せと前記第２インデックス値の組合せを前記第２通信ノードに報告する必要があることを確定し、前記第１インデックス値の組合せと前記第２インデックス値の組合せはいずれも１つ又は複数のインデックス値を含み、前記１つ又は複数のインデックス値における各インデックス値は、それぞれ１つの帯域パラメータ情報ユニットに含まれること、及び、
前記第１通信ノードは、第１インデックス値の組合せに対応した帯域範囲でのＥＵＴＲＡネットワークデータの送受信及び第２インデックス値の組合せに対応した帯域範囲での近接サービスデータの送受信を同時にサポートできない場合、前記第１インデックス値の組合せ又は前記第２インデックス値の組合せを前記第２通信ノードに報告する必要があることを確定し、前記第１インデックス値の組合せと前記第２インデックス値の組合せはいずれも１つ又は複数のインデックス値を含み、前記１つ又は複数のインデックス値における各インデックス値は、それぞれ１つの帯域パラメータ情報ユニットに含まれること、のうちの一つを含む近接サービスをサポートする能力情報の報告方法。
【請求項２】
前記第１通信ノードが前記指示情報を確定する前に、
前記第１通信ノードと前記第２通信ノードは、近接サービス専用の受信機及び／又は送信機がサポートするすべての近接サービス帯域範囲と帯域インデックス値との対応関係を予め設定し終わり、前記対応関係における各近接サービス帯域範囲がそれぞれ１つの帯域インデックス値に対応し、近接サービスは、近接ディスカバリサービス、近接通信サービスのうちの少なくとも１つを含むことをさらに含み、
前記第１通信ノードが前記指示情報を確定することは、
前記第１通信ノードは、それ自身に前記近接サービス専用の受信機及び／又は送信機が設定されている場合、前記近接サービス専用の受信機及び／又は送信機を有する指示情報を前記第２通信ノードに報告する必要があることを確定すること、及び、
前記第１通信ノードは、それ自身に設定されている前記近接サービス専用の受信機及び／又は送信機が複数の帯域で動作する時、前記対応関係から各帯域に対応したインデックス値を取得する場合、前記複数のインデックス値の組合せを前記第２通信ノードに報告する必要があることを確定すること、のうちの少なくとも一つを含む請求項１に記載の報告方法。
【請求項３】
前記第１通信ノードが前記指示情報を前記第２通信ノードに報告することは、
前記第１通信ノードは、前記第２通信ノードからの要求メッセージを受信した後に、前記指示情報を前記第２通信ノードに報告し、前記要求メッセージは、前記近接サービスをサポートする能力情報を取得するためのものであること、及び、
前記第１通信ノードは、前記指示情報を前記第２通信ノードに能動的に報告すること、のうちの一つを含む請求項１または２に記載の報告方法。
【請求項４】
第２通信ノードは、第１通信ノードが報告した指示情報を受信し、前記指示情報は、前記第１通信ノードが近接サービスをサポートする能力情報を指示するためのものであることと、
前記第２通信ノードは、前記指示情報に基づき、前記第１通信ノードに近接サービスリソース及び／又はセルラーネットワークサービスリソースを割り当てることと、を含み、
前記近接サービスをサポートする能力情報は、
ＵＥが近接サービスを受信及び送信することをサポートするbandの、及びbandの上り帯域の又は下り帯域の指示情報、
ＵＥが近接サービスを受信及び送信することをサポートする上り帯域の指示情報、
ＵＥが近接サービスを受信及び送信することをサポートする下り帯域の指示情報、
セルラー通信のbandパラメータセット及び近接サービスのbandパラメータセットからなるパラメータ組合せの指示情報、ここで、ＵＥがセルラー通信のbandと近接サービスのbandでセルラー通信と近接サービスを同時に受信することをサポートし、
近接サービスをサポートするbandクラス情報、
ＵＥがセルラー通信及び近接サービスを同時に受信することをサポートするbandに対する特定のband組合せの指示、
近接サービス専用受信機をサポートする指示情報、
近接サービス専用送信機をサポートする指示情報、
すべての受信リンク数の指示情報、
すべての送信リンク数の指示情報、
近接サービス用をサポートする受信リンク数の指示情報、
近接サービス用をサポートする送信リンク数の指示情報、
指示したbandで近接サービスを受信するのにギャップ（Gaps）を必要とするか否かの指示情報、
指示したbandで近接サービスとセルラー通信を同時に又は並行して受信できるか否かの指示情報、のうちの少なくとも１つを含み、
前記近接サービスは、サイドリンクディスカバリ、サイドリンク通信のうちの少なくとも１つを含み、前記上り帯域は、前記第１通信ノードが現在接続又は常駐しているシステムにおいて設定された上り周波数であり、前記下り帯域は、前記第１通信ノードが現在接続又は常駐しているシステムにおいて設定された下り周波数であり、前記システムは、進化型ユニバーサルモバイルテレコミュニケーションシステム地上無線アクセスＥＵＴＲＡ、ユニバーサルモバイルテレコミュニケーションシステム地上無線アクセスＵＴＲＡのうちの少なくとも１つを含み、
前記第２通信ノードが前記指示情報に基づき、前記第１通信ノードに前記近接サービスリソース及び／又は前記セルラーネットワークサービスリソースを割り当てることは、
前記第２通信ノードは、前記指示情報に基づき、前記第１通信ノードが近接サービスをサポートする能力を有するが、複数の帯域範囲でのサービスデータの同時送受信をサポートしないことを確定することと、
前記第２通信ノードは、時分割多重化の方式によって、前記第１通信ノードに前記近接サービスリソース及び前記セルラーネットワークサービスリソースを割り当て、又は、前記第２通信ノードは、前記時分割多重化の方式のみによって、前記第１通信ノードに近接ディスカバリサービスリソース及び前記セルラーネットワークサービスリソースを割り当てることと、を含み、
あるいは、
前記第２通信ノードが前記指示情報に基づき、前記第１通信ノードに前記近接サービスリソース及び／又は前記セルラーネットワークサービスリソースを割り当てることは、
前記第２通信ノードは、前記指示情報に基づき、前記第１通信ノードが近接サービスをサポートする能力を有し、且つ複数の帯域範囲でのサービスデータの同時送受信をサポートすることを確定することと、
前記第２通信ノードは、時分割多重化の方式によって、前記第１通信ノードに前記近接サービスリソース及び前記セルラーネットワークサービスリソースを割り当て、又は、前記第２通信ノードは、周波数分割多重化の方式によって、前記第１通信ノードに前記近接サービスリソース及び前記セルラーネットワークサービスリソースを割り当て、又は、前記第２通信ノードは、前記時分割多重化の方式によって、前記第１通信ノードに近接ディスカバリサービスリソース及び前記セルラーネットワークサービスリソースを割り当て、且つ前記周波数分割多重化の方式によって、前記第１通信ノードに近接通信サービスリソース及び前記セルラーネットワークサービスリソースを割り当てることと、を含む近接サービスをサポートする能力情報の処理方法。
【請求項５】
前記第２通信ノードが前記第１通信ノードの報告した前記指示情報を受信することは、  前記第２通信ノードは、要求メッセージを前記第１通信ノードに送信した後に、前記第１通信ノードが報告した前記指示情報を受信し、前記要求メッセージは、前記近接サービスをサポートする能力情報を取得するためのものであること、及び
前記第２通信ノードは、前記第１通信ノードが能動的に報告した前記指示情報を受信すること、のうちの一つを含む請求項４に記載の処理方法。
【請求項６】
第１通信ノードに設置される近接サービスをサポートする能力情報の報告装置であって、
報告しようとする指示情報を確定し、前記指示情報は、前記第１通信ノードが近接サービスをサポートする能力情報を指示するためのものであるように設定される確定モジュールと、
前記指示情報を第２通信ノードに報告するように設定される報告モジュールと、を備え、
前記近接サービスをサポートする能力情報は、
ＵＥが近接サービスを受信及び送信することをサポートするbandの、及びbandの上り帯域の又は下り帯域の指示情報、
ＵＥが近接サービスを受信及び送信することをサポートする上り帯域の指示情報、
ＵＥが近接サービスを受信及び送信することをサポートする下り帯域の指示情報、
セルラー通信のbandパラメータセット及び近接サービスのbandパラメータセットからなるパラメータ組合せの指示情報、ここで、ＵＥがセルラー通信のbandと近接サービスのbandでセルラー通信と近接サービスを同時に受信することをサポートし、
近接サービスをサポートするbandクラス情報、
ＵＥがセルラー通信及び近接サービスを同時に受信することをサポートするbandに対する特定のband組合せの指示、
近接サービス専用受信機をサポートする指示情報、
近接サービス専用送信機をサポートする指示情報、
すべての受信リンク数の指示情報、
すべての送信リンク数の指示情報、
近接サービス用をサポートする受信リンク数の指示情報、
近接サービス用をサポートする送信リンク数の指示情報、
指示したbandで近接サービスを受信するのにギャップ（Gaps）を必要とするか否かの指示情報、
指示したbandで近接サービスとセルラー通信を同時に又は並行して受信できるか否かの指示情報、のうちの少なくとも１つを含み、
前記近接サービスは、サイドリンクディスカバリ、サイドリンク通信のうちの少なくとも１つを含み、前記上り帯域は、前記第１通信ノードが現在接続又は常駐しているシステムにおいて設定された上り周波数であり、前記下り帯域は、前記第１通信ノードが現在接続又は常駐しているシステムにおいて設定された下り周波数であり、前記システムは、進化型ユニバーサルモバイルテレコミュニケーションシステム地上無線アクセスＥＵＴＲＡ、ユニバーサルモバイルテレコミュニケーションシステム地上無線アクセスＵＴＲＡのうちの少なくとも１つを含み、
前記第２通信ノードとともに、前記第１通信ノードがサポートするすべての帯域範囲と帯域インデックス値の組合せとの対応関係を予め設定し終わり、前記対応関係における各帯域範囲がそれぞれ１つの帯域インデックス値に対応するように設定される第１設定モジュールをさらに備え、
前記確定モジュールにあって、
前記指示情報を確定することは、
第１インデックス値の組合せに対応した帯域範囲でのＥＵＴＲＡネットワークデータの送受信及び第２インデックス値の組合せに対応した帯域範囲での近接サービスデータの送受信を同時にサポートする場合、前記第１インデックス値の組合せと前記第２インデックス値の組合せを前記第２通信ノードに報告する必要があることを確定し、前記第１インデックス値の組合せと前記第２インデックス値の組合せはいずれも１つ又は複数のインデックス値を含み、前記１つ又は複数のインデックス値における各インデックス値はそれぞれ１つの帯域パラメータ情報ユニットに含まれること、及び、
第１インデックス値の組合せに対応した帯域範囲でのＥＵＴＲＡネットワークデータの送受信及び第２インデックス値の組合せに対応した帯域範囲での近接サービスデータの送受信を同時にサポートできない場合、前記第１インデックス値の組合せ又は前記第２インデックス値の組合せを前記第２通信ノードに報告する必要があることを確定し、前記第１インデックス値の組合せと前記第２インデックス値の組合せはいずれも１つ又は複数のインデックス値を含み、前記１つ又は複数のインデックス値における各インデックス値はそれぞれ１つの帯域パラメータ情報ユニットに含まれること、のうちの一つを含むように設定される近接サービスをサポートする能力情報の報告装置。
【請求項７】
前記第２通信ノードとともに、近接サービス専用の受信機及び／又は送信機がサポートするすべての近接サービス帯域範囲と帯域インデックス値との対応関係を予め設定し終わり、前記対応関係における各近接サービス帯域範囲がそれぞれ１つの帯域インデックス値に対応し、近接サービスは近接ディスカバリサービス、近接通信サービスのうちの少なくとも１つを含むように設定される第２設定モジュールをさらに備え、
前記確定モジュールにあって、
前記指示情報を確定することは、
自身に前記近接サービス専用の受信機及び／又は送信機が設定されている場合、前記近接サービス専用の受信機及び／又は送信機を有する指示情報を前記第２通信ノードに報告する必要があることを確定すること、及び、
自身に設定されている前記近接サービス専用の受信機及び／又は送信機が複数の帯域で動作する時、前記対応関係から各帯域に対応したインデックス値を取得する場合、前記複数のインデックス値の組合せを前記第２通信ノードに報告する必要があることを確定すること、のうちの少なくとも一つを含むように設定される請求項６に記載の報告装置。
【請求項８】
第２通信ノードに設置される近接サービスをサポートする能力情報の処理装置であって、
第１通信ノードが報告した指示情報を受信し、前記指示情報は、前記第１通信ノードが近接サービスをサポートする能力情報を指示するためのものであるように設定される受信モジュールと、
前記指示情報に基づき、前記第１通信ノードに近接サービスリソース及び／又はセルラーネットワークサービスリソースを割り当てるように設定される割当モジュールと、を備え、
前記近接サービスをサポートする能力情報は、
ＵＥが近接サービスを受信及び送信することをサポートするbandの、及びbandの上り帯域の又は下り帯域の指示情報、
ＵＥが近接サービスを受信及び送信することをサポートする上り帯域の指示情報、
ＵＥが近接サービスを受信及び送信することをサポートする下り帯域の指示情報、
セルラー通信のbandパラメータセット及び近接サービスのbandパラメータセットからなるパラメータ組合せの指示情報、ここで、ＵＥがセルラー通信のbandと近接サービスのbandでセルラー通信と近接サービスを同時に受信することをサポートし、
近接サービスをサポートするbandクラス情報、
ＵＥがセルラー通信及び近接サービスを同時に受信することをサポートするbandsに対する特定のband組合せの指示、
ＵＥが近接サービスの受信及び／又は送信をサポートするbandの独立リストの指示情報、
近接サービス専用受信機をサポートする指示情報、
近接サービス専用送信機をサポートする指示情報、
すべての受信リンク数の指示情報、
すべての送信リンク数の指示情報、
近接サービス用をサポートする受信リンク数の指示情報、
近接サービス用をサポートする送信リンク数の指示情報、
指示したbandで近接サービスを受信するのにギャップ（Gaps）を必要とするか否かの指示情報、
指示したbandで近接サービスとセルラー通信を同時に又は並行して受信できるか否かの指示情報、のうちの少なくとも１つを含み、
前記近接サービスは、サイドリンクディスカバリ、サイドリンク通信のうちの少なくとも１つを含み、前記上り帯域は、前記第１通信ノードが現在接続又は常駐しているシステムにおいて設定された上り周波数であり、前記下り帯域は、前記第１通信ノードが現在接続又は常駐しているシステムにおいて設定された下り周波数であり、前記システムは、進化型ユニバーサルモバイルテレコミュニケーションシステム地上無線アクセスＥＵＴＲＡ、ユニバーサルモバイルテレコミュニケーションシステム地上無線アクセスＵＴＲＡのうちの少なくとも１つを含み、
前記割当モジュールは、
前記指示情報に基づき、前記第１通信ノードが近接サービスをサポートする能力を有するが、複数の帯域範囲でのサービスデータの同時送受信をサポートしないことを確定するように設定される第１確定ユニットと、
時分割多重化の方式によって、前記第１通信ノードに前記近接サービスリソース及び前記セルラーネットワークサービスリソースを割り当て、又は、前記時分割多重化の方式のみによって、前記第１通信ノードにサイドリンクディスカバリリソース及び前記セルラーネットワークサービスリソースを割り当てるように設定される第１割当ユニットと、を備え、
または、前記割当モジュールは、
前記指示情報に基づき、前記第１通信ノードが近接サービスをサポートする能力を有し、且つ複数の帯域範囲でのサービスデータの同時送受信をサポートすることを確定するように設定される第２確定ユニットと、
時分割多重化の方式によって、前記第１通信ノードに前記近接サービスリソース及び前記セルラーネットワークサービスリソースを割り当て、又は、周波数分割多重化の方式によって、前記第１通信ノードに前記近接サービスリソース及び前記セルラーネットワークサービスリソースを割り当て、又は、前記時分割多重化の方式によって、前記第１通信ノードにサイドリンクディスカバリリソース及び前記セルラーネットワークサービスリソースを割り当て、且つ前記周波数分割多重化の方式によって、前記第１通信ノードにサイドリンク通信リソース及び前記セルラーネットワークサービスリソースを割り当てるように設定される第２割当ユニットと、を備える近接サービスをサポートする能力情報の処理装置。
【発明の詳細な説明】
【技術分野】
【０００１】
本発明は通信分野に関し、具体的に、近接サービスをサポートする能力情報の報告、処理方法及び装置に関する。
【背景技術】
【０００２】
無線マルチメディアサービスの急速発展につれて、人々の高データレート及びユーザーエクスペリエンスに対しての要求が高まりつつあるため、従来のセルラーネットワークのシステム容量及びカバレッジについて高い要求が提示されている。一方、パブリックセーフティ、ソーシャルネットワーク、近距離のデータ共有機能、ローカル広告などのアプリケーションシーンによって、付近の人や事物を調べてそれと通信する近接サービス（Proximity Services、ProSeと略称する）への要求が徐々に高まりつつある。従来の基地局を中心とするセルラーネットワークは、高データレート及び近接サービスのサポート面に著しい制限がある。このような需要を背景に、将来の通信技術発展の新方向を代表するProSe技術は開発された。ProSe技術の適用によって、セルラーネットワークの負荷を軽減させ、ユーザー装置の電池の電力消費を減少させ、データレートを高めることができるだけでなく、ネットワークインフラストラクチャーのロバスト性を効果的に改善することができ、上記高データレートサービス及び近接サービスの要求をよく満たす。
【０００３】
ProSe技術は、免許帯域でも非免許帯域でも動作でき、ProSe機能をサポートする複数のユーザー装置が、ネットワークインフラストラクチャーあり又はネットワークインフラストラクチャーなしの場合、ダイレクトディスカバリ／ダイレクト通信(ダイレクトコミュニケーション)を行うことを可能にする。ここで、ProSe機能をサポートするユーザー装置は、ProSeユーザー装置（ProSe User Equipment、ProSe ＵＥと略称する）とも呼ばれる。
【０００４】
ProSe技術は、一般的にProSeディスカバリ技術及びProSe通信技術を含む。ProSeディスカバリ技術とは、２つ以上のProSeユーザー装置同士が近接している（例えば、ProSeダイレクト通信が可能な範囲内にある）こと、又は第１ユーザー装置が第２ユーザー装置に近接することを判定／確定するための技術である。通常、ProSeユーザー装置同士は、ディスカバリ信号／情報を送信又は受信することにより相手をディスカバリすることができ、セルラーネットワークによりカバーされている場合、ネットワークは、ProSeユーザー装置によるProSeディスカバリを補助することができる。ProSe通信技術とは、ProSeユーザー装置間の一部又はすべての通信データを、ネットワークインフラストラクチャーを経由せずに直接、通信することができる技術である。
【０００５】
ProSeディスカバリ技術とProSe通信技術をサポートするＵＥは、同時にセルラー通信とProSe通信の状態にある可能性があり、或いは同時にセルラー通信とProSeディスカバリ信号の送信／傍受の状態にある可能性があり、すなわちＵＥは、基地局とセルラー通信を保持すると同時に、ProSeブロードキャストサービスのデータを傍受し、ディスカバリ信号を送信し又は他のＵＥが送信した送信信号を傍受する必要がある。ProSe通信過程において、ProSe通信を行う２つのＵＥは、ProSe ＵＥペア（ProSe UE pair）と呼ばれ、一方のＵＥは、他方のＵＥに対してProSe相手端ＵＥと呼ばれてもよい。ProSeディスカバリ過程において、ディスカバリ信号を送信するＵＥは、送信ＵＥ又は宣告ＵＥと呼ばれ、ディスカバリ信号を受信するＵＥは、受信ＵＥ又は傍受ＵＥと呼ばれる。
【０００６】
ProSeサービスは、ネットワーク配置過程においてネットワーク全体で統一されたものではなく、一部の領域の周波数はProSeサービスをサポートするが、隣接する領域はProSeサービスをサポートしてなく、同様に、すべてのＵＥはProSe通信／ディスカバリ機能をサポートすることができるのではなく、例えば、隣接セルにProSeサービスをサポートするセルとProSeサービスをサポートしないセルが存在するなどの場合、ハンドオーバ過程において、ProSeサービスをサポートするＵＥがProSeをサポートするセルを選択できず、ProSeサービスをサポートしないＵＥが、ハンドオーバ先のセルがProSeをサポートするか否かを考慮する必要がないことは、好ましく行うことができない。
【０００７】
また、ProSe端末が傍受状態にある場合、基地局は端末がProSeサービスを傍受していることを知らないと、基地局は、端末のユニキャストリソースをスケジューリングする時に、ProSe傍受サービスに干渉をもたらす恐れがある。また、従来技術において、ＵＥが具体的に近接サービスをサポートするか否かをどのように報告するかの問題はまだ解決されていない。関連技術における上記問題によって、基地局は、ＵＥのProSe能力の有無を知る必要がある。
【発明の概要】
【発明が解決しようとする課題】
【０００８】
本発明は、少なくとも関連技術において基地局がＵＥのProSe能力の有無を知ることができない問題を少なくとも解決するように、近接サービスをサポートする能力情報の報告、処理方法及び装置を提供する。
【０００９】
本発明の一態様によれば、近接サービスをサポートする能力情報の報告方法を提供する。
【００１０】
本発明の実施例による近接サービスをサポートする能力情報の報告方法は、
第１通信ノードは、報告しようとする指示情報を確定し、指示情報は、第１通信ノードが近接サービスをサポートする能力情報を指示するためのものであることと、
第１通信ノードは、指示情報を第２通信ノードに報告することと、を含む。
【００１１】
好ましくは、近接サービスをサポートする能力情報は、
近接サービスをサポートする指示情報、
近接サービスの受信及び／又は送信をサポートする指示情報、
すべての指示したbandに対応したすべての帯域で、近接サービスを受信及び／又は送信することをサポートする指示情報、
すべての指示したbandに対応した上り(アップリンク)帯域で、近接サービスを受信及び／又は送信することをサポートする指示情報、
すべての指示したbandに対応した下り(ダウンリンク)帯域で、近接サービスを受信及び／又は送信することをサポートする指示情報、
特別に指示したbandに対応したすべての帯域で、近接サービスを受信及び／又は送信することをサポートする指示情報、
特別に指示したbandに対応した上り帯域で、近接サービスを受信及び／又は送信することをサポートする指示情報、
特別に指示したbandに対応した下り帯域で、近接サービスを受信及び／又は送信することをサポートする指示情報、
同時にセルラー通信を行うことをサポートするbandパラメータセット及び近接サービスのbandパラメータセットからなるパラメータ組合せ指示情報、
近接サービスをサポートする能力のbandクラス情報、
セルラー通信及び近接サービスを同時に受信することをサポートするbandパラメータセット、
近接サービスの受信及び／又は送信をサポートするbandパラメータセット、
近接サービス専用受信機をサポートする指示情報、
近接サービス専用送信機をサポートする指示情報、
すべての受信リンク数の指示情報、
すべての送信リンク数の指示情報、
近接サービス用をサポートする受信リンク数の指示情報、
近接サービス用をサポートする送信リンク数の指示情報、
指示したbandで近接サービスを受信するのにギャップ（Gaps）を必要とするか否かの指示情報、
指示したbandで近接サービスを同時に又は並行して受信できるか否かの指示情報、のうちの少なくとも１つを含む。
ここで、近接サービスは、ProSeディスカバリ、ProSe通信(ProSeコミュニケーション)のうちの少なくとも１つを含み、上り帯域は、第１通信ノードが現在接続(リンク)又は常駐しているシステムにおいて設定された上り周波数であり、下り帯域は、第１通信ノードが現在接続又は常駐しているシステムにおいて設定された下り周波数であり、システムは、進化型ユニバーサルモバイルテレコミュニケーションシステム地上無線アクセス（ＥＵＴＲＡ）、ユニバーサルモバイルテレコミュニケーションシステム地上無線アクセス（ＵＴＲＡ）のうちの少なくとも１つを含む。
【００１２】
好ましくは、第１通信ノードが指示情報を確定する前に、
第１通信ノードと第２通信ノードは、第１通信ノードがサポートするすべての帯域範囲と帯域インデックス値の組合せとの対応関係を予め設定し終わり、対応関係における各帯域範囲はそれぞれ１つの帯域インデックス値に対応することをさらに含む。
【００１３】
好ましくは、第１通信ノードが指示情報を確定することは、
第１通信ノードは、第１インデックス値の組合せに対応した帯域範囲でのＥＵＴＲＡネットワークデータの送受信及び第２インデックス値の組合せに対応した帯域範囲での近接サービスデータの送受信を同時にサポートする場合、第１インデックス値の組合せと第２インデックス値の組合せを第２通信ノードに報告する必要があることを確定し、第１インデックス値の組合せと第２インデックス値の組合せはいずれも１つ又は複数のインデックス値を含み、１つ又は複数のインデックス値における各インデックス値は、それぞれ１つの帯域パラメータ情報ユニットに含まれること、及び、
第１通信ノードは、第１インデックス値の組合せに対応した帯域範囲でのＥＵＴＲＡネットワークデータの送受信及び第２インデックス値の組合せに対応した帯域範囲での近接サービスデータの送受信を同時にサポートできない場合、第１インデックス値の組合せ又は第２インデックス値の組合せを第２通信ノードに報告する必要があることを確定し、第１インデックス値の組合せと第２インデックス値の組合せはいずれも１つ又は複数のインデックス値を含み、１つ又は複数のインデックス値における各インデックス値は、それぞれ１つの帯域パラメータ情報ユニットに含まれること、のうちの一つを含む。
【００１４】
好ましくは、第１通信ノードが指示情報を確定する前に、
第１通信ノードと第２通信ノードは、近接サービス専用の受信機及び／又は送信機がサポートするすべての近接サービス帯域範囲と帯域インデックス値との対応関係を予め設定し終わり、対応関係における各近接サービス帯域範囲はそれぞれ１つの帯域インデックス値に対応し、近接サービスは、ProSeディスカバリ、ProSe通信のうちの少なくとも１つを含むこと、をさらに含む。
【００１５】
好ましくは、第１通信ノードが指示情報を確定することは、
第１通信ノードは、それ自身に近接サービス専用の受信機及び／又は送信機が設定されている場合、近接サービス専用の受信機及び／又は送信機を有する指示情報を第２通信ノードに報告する必要があることを確定すること、及び、
第１通信ノードは、それ自身に設定されている近接サービス専用の受信機及び／又は送信機が複数の帯域で動作する時、対応関係から各帯域に対応したインデックス値を取得する場合、複数のインデックス値の組合せを第２通信ノードに報告する必要があることを確定すること、のうちの少なくとも一つを含む。
【００１６】
好ましくは、第１通信ノードが指示情報を第２通信ノードに報告することは、
第１通信ノードは、第２通信ノードからの要求メッセージを受信した後に、指示情報を第２通信ノードに報告し、要求メッセージは、近接サービスをサポートする能力情報を取得するためのものであること、及び、
第１通信ノードは、指示情報を第２通信ノードに能動的に報告すること、のうちの一つを含む。
【００１７】
本発明の別の態様によれば、近接サービスをサポートする能力情報の処理方法を提供する。
【００１８】
本発明の実施例による近接サービスをサポートする能力情報の処理方法は、
第２通信ノードは、第１通信ノードが報告した指示情報を受信し、指示情報は、第１通信ノードが近接サービスをサポートする能力情報を指示するためのものであることと、
第２通信ノードは、指示情報に基づき、第１通信ノードに近接サービスリソース及び／又はセルラーネットワークサービスリソースを割り当てることと、を含む。
【００１９】
好ましくは、近接サービスをサポートする能力情報は、
近接サービスをサポートする指示情報、
近接サービスの受信及び／又は送信をサポートする指示情報、
すべての指示したbandに対応したすべての帯域で近接サービスを受信及び／又は送信することをサポートする指示情報、
すべての指示したbandに対応した上り帯域で近接サービスを受信及び／又は送信することをサポートする指示情報、
すべての指示したbandに対応した下り帯域で近接サービスを受信及び／又は送信することをサポートする指示情報、
特別に指示したbandに対応したすべての帯域で近接サービスを受信及び／又は送信することをサポートする指示情報、
特別に指示したbandに対応した上り帯域で近接サービスを受信及び／又は送信することをサポートする指示情報、
特別に指示したbandに対応した下り帯域で近接サービスを受信及び／又は送信することをサポートする指示情報、
同時にセルラー通信を行うことをサポートするbandパラメータセット及び近接サービスのbandパラメータセットからなるパラメータ組合せ指示情報、
近接サービスをサポートする能力のbandクラス情報、
セルラー通信および近接サービスを同時に受信することをサポートするｂａｎｄパラメータセット、
近接サービスの受信及び／又は送信をサポートするbandパラメータセット、
近接サービス専用受信機をサポートする指示情報、
近接サービス専用送信機をサポートする指示情報、
すべての受信リンク数の指示情報、
すべての送信リンク数の指示情報、
近接サービス用をサポートする受信リンク数の指示情報、
近接サービス用をサポートする送信リンク数の指示情報、
指示したbandで近接サービスを受信するのにギャップ（Gaps）を必要とするか否かの指示情報、
指示したbandで近接サービスを同時に又は並行して受信できるか否かの指示情報、のうちの少なくとも１つを含む。
ここで、近接サービスは、ProSeディスカバリ、ProSe通信のうちの少なくとも１つを含み、上り帯域は、第１通信ノードが現在接続又は常駐しているシステムにおいて設定された上り周波数であり、下り帯域は、第１通信ノードが現在接続又は常駐しているシステムにおいて設定された下り周波数であり、システムは、進化型ユニバーサルモバイルテレコミュニケーションシステム地上無線アクセス（ＥＵＴＲＡ）、ユニバーサルモバイルテレコミュニケーションシステム地上無線アクセス（ＵＴＲＡ）のうちの少なくとも１つを含む。
【００２０】
好ましくは、第２通信ノードが指示情報に基づき、第１通信ノードに近接サービスリソース及び／又はセルラーネットワークサービスリソースを割り当てることは、
第２通信ノードは、指示情報に基づき、第１通信ノードが近接サービスをサポートする能力を有するが、複数の帯域範囲でのサービスデータの同時送受信をサポートしないことを確定することと、
第２通信ノードは、時分割多重化の方式によって、第１通信ノードに近接サービスリソース及びセルラーネットワークサービスリソースを割り当て、又は、第２通信ノードは、時分割多重化の方式のみによって、第１通信ノードにProSeディスカバリリソース及びセルラーネットワークサービスリソースを割り当てることと、を含む。
【００２１】
好ましくは、第２通信ノードが指示情報に基づき、第１通信ノードに近接サービスリソース及び／又はセルラーネットワークサービスリソースを割り当てることは、
第２通信ノードは、指示情報に基づき、第１通信ノードが近接サービスをサポートする能力を有し、且つ複数の帯域範囲でのサービスデータの同時送受信をサポートすることを確定することと、
第２通信ノードは、時分割多重化の方式によって、第１通信ノードに近接サービスリソース及びセルラーネットワークサービスリソースを割り当て、又は、第２通信ノードは、周波数分割多重化の方式によって、第１通信ノードに近接サービスリソース及びセルラーネットワークサービスリソースを割り当て、又は、第２通信ノードは、時分割多重化の方式によって、第１通信ノードにProSeディスカバリリソース及びセルラーネットワークサービスリソースを割り当て、且つ周波数分割多重化の方式によって、第１通信ノードにProSe通信リソース及びセルラーネットワークサービスリソースを割り当てることと、を含む。
【００２２】
好ましくは、第２通信ノードが第１通信ノードの報告した指示情報を受信することは、
第２通信ノードは、第１通信ノードに要求メッセージを送信した後に、第１通信ノードが報告した指示情報を受信し、要求メッセージは近接サービスをサポートする能力情報を取得するためのものであること、及び
第２通信ノードは、第１通信ノードが能動的に報告した指示情報を受信すること、のうちの一つを含む。
【００２３】
本発明のまた別の態様によれば、近接サービスをサポートする能力情報の報告装置を提供する。
【００２４】
本発明の実施例による近接サービスをサポートする能力情報の報告装置は、
報告しようとする指示情報を確定し、指示情報は、第１通信ノードが近接サービスをサポートする能力情報を指示するためのものであるように設定される確定モジュールと、
指示情報を第２通信ノードに報告するように設定される報告モジュールと、を備える。
【００２５】
好ましくは、近接サービスをサポートする能力情報は、
近接サービスをサポートする指示情報、
近接サービスの受信及び／又は送信をサポートする指示情報、
すべての指示したbandに対応したすべての帯域で近接サービスを受信及び／又は送信することをサポートする指示情報、
すべての指示したbandに対応した上り帯域で近接サービスを受信及び／又は送信することをサポートする指示情報、
すべての指示したbandに対応した下り帯域で近接サービスを受信及び／又は送信することをサポートする指示情報、
特別に指示したbandに対応したすべての帯域で近接サービスを受信及び／又は送信することをサポートする指示情報、
特別に指示したbandに対応した上り帯域で近接サービスを受信及び／又は送信することをサポートする指示情報、
特別に指示したbandに対応した下り帯域で近接サービスを受信及び／又は送信することをサポートする指示情報、
同時にセルラー通信を行うことをサポートするbandパラメータセット及び近接サービスのbandパラメータセットからなるパラメータ組合せ指示情報、
近接サービスをサポートする能力のbandクラス情報、
セルラー通信及び近接サービスを同時に受信することをサポートするbandパラメータセット、
近接サービスの受信及び／又は送信をサポートするbandパラメータセット、
近接サービス専用受信機をサポートする指示情報、
近接サービス専用送信機をサポートする指示情報、
すべての受信リンク数の指示情報、
すべての送信リンク数の指示情報、
近接サービス用をサポートする受信リンク数の指示情報、
近接サービス用をサポートする送信リンク数の指示情報、
指示したbandで近接サービスを受信するのにギャップ（Gaps）を必要とするか否かの指示情報、
指示したbandで近接サービスを同時に又は並行して受信できるか否かの指示情報、のうちの少なくとも１つを含む。
ここで、近接サービスは、ProSeディスカバリ、ProSe通信のうちの少なくとも１つを含み、上り帯域は、第１通信ノードが現在接続又は常駐しているシステムにおいて設定された上り周波数であり、下り帯域は、第１通信ノードが現在接続又は常駐しているシステムにおいて設定された下り周波数であり、システムは、進化型ユニバーサルモバイルテレコミュニケーションシステム地上無線アクセス（ＥＵＴＲＡ）、ユニバーサルモバイルテレコミュニケーションシステム地上無線アクセス（ＵＴＲＡ）のうちの少なくとも１つを含む。
【００２６】
好ましくは、上記装置は、
第２通信ノードとともに、第１通信ノードがサポートするすべての帯域範囲と帯域インデックス値の組合せとの対応関係を予め設定し終わり、対応関係における各帯域範囲がそれぞれ１つの帯域インデックス値に対応するように設定される第１設定モジュールをさらに備える。
【００２７】
好ましくは、確定モジュールにあって、
指示情報を確定することは、
第１インデックス値の組合せに対応した帯域範囲でのＥＵＴＲＡネットワークデータの送受信及び第２インデックス値の組合せに対応した帯域範囲での近接サービスデータの送受信を同時にサポートする場合、第１インデックス値の組合せと第２インデックス値の組合せを第２通信ノードに報告する必要があることを確定し、第１インデックス値の組合せと第２インデックス値の組合せはいずれも１つ又は複数のインデックス値を含み、１つ又は複数のインデックス値における各インデックス値は、それぞれ１つの帯域パラメータ情報ユニットに含まれること、及び
第１インデックス値の組合せに対応した帯域範囲でのＥＵＴＲＡネットワークデータの送受信及び第２インデックス値の組合せに対応した帯域範囲での近接サービスデータの送受信を同時にサポートできない場合、第１インデックス値の組合せ又は第２インデックス値の組合せを第２通信ノードに報告する必要があることを確定し、第１インデックス値の組合せと第２インデックス値の組合せはいずれも１つ又は複数のインデックス値を含み、１つ又は複数のインデックス値における各インデックス値は、それぞれ１つの帯域パラメータ情報ユニットに含まれること、のうちの一つを含むように設定される。
【００２８】
好ましくは、上記装置は、
第２通信ノードとともに、近接サービス専用の受信機及び／又は送信機がサポートするすべての近接サービス帯域範囲と帯域インデックス値との対応関係を予め設定し終わり、対応関係における各近接サービス帯域範囲がそれぞれ１つの帯域インデックス値に対応し、近接サービスはProSeディスカバリ、ProSe通信のうちの少なくとも１つを含むように設定される第２設定モジュールをさらに備える。
【００２９】
好ましくは、確定モジュールにあって、
指示情報を確定することは、
自身に近接サービス専用の受信機及び／又は送信機が設定されている場合、近接サービス専用の受信機及び／又は送信機を有する指示情報を第２通信ノードに報告する必要があることを確定すること、及び
自身に設定されている近接サービス専用の受信機及び／又は送信機が複数の帯域で動作する時、対応関係から各帯域に対応したインデックス値を取得する場合、複数のインデックス値の組合せを第２通信ノードに報告する必要があることを確定すること、のうちの少なくとも一つを含むように設定される。
【００３０】
好ましくは、報告モジュールにあって、
指示情報を第２通信ノードに報告することは、
第１通信ノードは、第２通信ノードからの要求メッセージを受信した後に、指示情報を第２通信ノードに報告し、要求メッセージは、近接サービスをサポートする能力情報を取得するためのものであること、及び
第１通信ノードは、指示情報を第２通信ノードに能動的に報告すること、のうちの一つを含むように設定される。
【００３１】
本発明のさらに別の態様によれば、近接サービスをサポートする能力情報の処理装置を提供する。
【００３２】
本発明の実施例による近接サービスをサポートする能力情報の処理装置は、
第１通信ノードが報告した指示情報を受信し、指示情報は、第１通信ノードが近接サービスをサポートする能力情報を指示するためのものであるように設定される受信モジュールと、
指示情報に基づき、第１通信ノードに近接サービスリソース及び／又はセルラーネットワークサービスリソースを割り当てるように設定される割当モジュールと、を備える。
【００３３】
好ましくは、近接サービスをサポートする能力情報は、
近接サービスをサポートする指示情報、
近接サービスの受信及び／又は送信をサポートする指示情報、
すべての指示したbandに対応したすべての帯域で近接サービスを受信及び／又は送信することをサポートする指示情報、
すべての指示したbandに対応した上り帯域で近接サービスを受信及び／又は送信することをサポートする指示情報、
すべての指示したbandに対応した下り帯域で近接サービスを受信及び／又は送信することをサポートする指示情報、
特別に指示したbandに対応したすべての帯域で近接サービスを受信及び／又は送信することをサポートする指示情報、
特別に指示したbandに対応した上り帯域で近接サービスを受信及び／又は送信することをサポートする指示情報、
特別に指示したbandに対応した下り帯域で近接サービスを受信及び／又は送信することをサポートする指示情報、
同時にセルラー通信を行うことをサポートするbandパラメータセット及び近接サービスのbandパラメータセットからなるパラメータ組合せ指示情報、
近接サービスをサポートする能力のbandクラス情報、
セルラー通信及び近接サービスを同時に受信することをサポートするbandパラメータセット、
近接サービスの受信及び／又は送信をサポートするbandパラメータセット、
近接サービス専用受信機をサポートする指示情報、
近接サービス専用送信機をサポートする指示情報、
すべての受信リンク数の指示情報、
すべての送信リンク数の指示情報、
近接サービス用をサポートする受信リンク数の指示情報、
近接サービス用をサポートする送信リンク数の指示情報、
指示したbandで近接サービスを受信するのにギャップ（Gaps）を必要とするか否かの指示情報、
指示したbandで近接サービスを同時に又は並行して受信できるか否かの指示情報、のうちの少なくとも１つを含む。
ここで、近接サービスは、ProSeディスカバリ、ProSe通信のうちの少なくとも１つを含み、上り帯域は、第１通信ノードが現在接続又は常駐しているシステムにおいて設定された上り周波数であり、下り帯域は、第１通信ノードが現在接続又は常駐しているシステムにおいて設定された下り周波数であり、システムは、進化型ユニバーサルモバイルテレコミュニケーションシステム地上無線アクセス（ＥＵＴＲＡ）、ユニバーサルモバイルテレコミュニケーションシステム地上無線アクセス（ＵＴＲＡ）のうちの少なくとも１つを含む。
【００３４】
好ましくは、割当モジュールは、
指示情報に基づき、第１通信ノードが近接サービスをサポートする能力を有するが、複数の帯域範囲でのサービスデータの同時送受信をサポートしないことを確定するように設定される第１確定ユニットと、
時分割多重化の方式によって、第１通信ノードに近接サービスリソース及びセルラーネットワークサービスリソースを割り当て、又は、時分割多重化の方式のみによって、第１通信ノードにProSeディスカバリリソース及びセルラーネットワークサービスリソースを割り当てるように設定される第１割当ユニットと、を備える。
【００３５】
好ましくは、割当モジュールは、
指示情報に基づき、第１通信ノードが近接サービスをサポートする能力を有し、且つ複数の帯域範囲でのサービスデータの同時送受信をサポートすることを確定するように設定される第２確定ユニットと、
時分割多重化の方式によって、第１通信ノードに近接サービスリソース及びセルラーネットワークサービスリソースを割り当て、又は、周波数分割多重化の方式によって、第１通信ノードに近接サービスリソース及びセルラーネットワークサービスリソースを割り当て、又は、時分割多重化の方式によって、第１通信ノードにProSeディスカバリリソース及びセルラーネットワークサービスリソースを割り当て、且つ周波数分割多重化の方式によって、第１通信ノードにProSe通信リソース及びセルラーネットワークサービスリソースを割り当てるように設定される第２割当ユニットと、を備える。
【００３６】
好ましくは、受信モジュールにあって、
第１通信ノードが報告した指示情報を受信することは、
第２通信ノードは、要求メッセージを第１通信ノードに送信した後に、第１通信ノードが報告した指示情報を受信し、要求メッセージは、近接サービスをサポートする能力情報を取得するためのものであること、及び
第２通信ノードは、第１通信ノードが能動的に報告した指示情報を受信すること、のうちの一つを含むように設定される。
【発明の効果】
【００３７】
本発明の実施例によれば、第１通信ノードは、報告しようとする指示情報を確定し、指示情報は、第１通信ノードが近接サービスをサポートする能力情報を指示するためのものであり、第１通信ノードは、指示情報を第２通信ノードに報告し、これにより、関連技術において基地局がＵＥのProSe能力の有無を知ることができない問題を解決し、更に、第１通信ノードは、低いオーバーヘッドでProSe能力の報告を実現でき、第２通信ノードは、能力情報を取得した後に、第１通信ノードにProSeサービス及び／又はセルラーネットワークサービスリソースを合理的に効率よく割り当てることができ、それにより、ProSeサービスとセルラーネットワークサービスとの間の干渉や影響を最小限に抑える。
【図面の簡単な説明】
【００３８】
ここでの図面は、本発明を更に理解するためのものであり、本願の一部を構成し、本発明の例示的な実施例やその説明は、本発明を説明するためのものであり、本発明を不当に限定するものではない。
【００３９】
【図１】図１は、本発明の実施例による、近接サービスをサポートする能力情報の報告方法のフローチャートである。
【図２】図２は、本発明の実施例による、近接サービスをサポートする能力情報の処理方法のフローチャートである。
【図３】図３は、本発明の実施例による、近接サービスをサポートする能力情報の報告装置の構成ブロック図である。
【図４】図４は、本発明の好適な実施例による、近接サービスをサポートする能力情報の報告装置の構成ブロック図である。
【図５】図５は、本発明の実施例による、近接サービスをサポートする能力情報の処理装置の構成ブロック図である。
【図６】図６は、本発明の好適な実施例による、近接サービスをサポートする能力情報の処理装置の構成ブロック図である。
【発明を実施するための形態】
【００４０】
以下、図面及び実施例を参照しながら、本発明について詳細に説明する。なお、矛盾が生じない限り、本願の実施例及び実施例の特徴は相互に組み合わせることができる。
【００４１】
図１は、本発明の実施例による近接サービスをサポートする能力情報の報告方法のフローチャートである。図１に示すように、該方法は、以下の処理ステップＳ１０２〜Ｓ１０４を含んでもよい。
【００４２】
ステップＳ１０２： 第１通信ノードは、報告しようとする指示情報を確定し、指示情報は、第１通信ノードが近接サービスをサポートする能力情報を指示するためのものである。
【００４３】
ステップＳ１０４： 第１通信ノードは、指示情報を第２通信ノードに報告する。
【００４４】
関連技術では、セルラー通信及びProSeサイドリンク通信／ディスカバリの２種類のモードの間で、ＵＥの半二重機能の制限及び干渉を考慮すると、ＵＥは、同一の周波数でのProSeサービスデータの同時送受信が不可能であり、同一の周波数でのProSeサービスデータの受信及びセルラーネットワークデータの送信も不可能である。同一の周波数でのProSeサービス及びセルラーサービスのデータ伝送を必要とするならば、時分割多重化の方式を採用するしかなく、すなわち、ProSeサービス通信を行うＵＥに、ProSe通信／ディスカバリサービス伝送の専用サブフレーム及びセルラーネットワークサービス伝送のサブフレームを割り当てる。ProSeサービスは、セルラーサービスが同一のband（１つのbandは、１つの上り帯域及び１つの下り帯域リソースを含む）に位置するシーンであることを考慮すると、同一のbandの上り帯域でのProSeサービスデータの受信及び同一のbandの下り帯域でのセルラーネットワークデータの受信を同時に実現する必要がある場合、ＵＥの受信能力(受信機能)に対して特殊な要求があり、ＵＥがこの能力を有すると、基地局は、下りセルラーリソースを割り当てる時に、ProSeサービス受信との時分割処理が不要になり、さもなければ時分割多重化の方式を考慮する必要がある。基地局は、ＵＥがProSeサービスとセルラーサービスを同時に受信する能力を有するか否かを知らない場合は、基地局は、統一的に処理するしかなく、ＵＥがProSeサービスとセルラーサービスを同時に受信する能力を有しておらず、基地局が時分割多重化の方式によってＵＥに両方のリソースを割り当てていない場合は、２種類のサービス同士で大きな干渉が生じ、一方、ＵＥがProSeサービスとセルラーサービスを同時に受信する能力を有しており、基地局が依然として時分割多重化の方式によってＵＥに両方のリソースを割り当てている場合は、リソースの膨大な浪費を招いてしまう。ＵＥがProSeサービス通信能力を有していない場合、ProSe通信／ディスカバリサービス伝送の専用サブフレームがなく、他のＵＥのリソース割り当てと衝突しないことを確保した上で、任意のサブフレームでセルラーネットワークユニキャストサービスリソースを割り当てることができる。ProSeサービス通信能力を有するが、ProSeサービスとセルラーサービスを同時に受信する能力を有しないため、ProSe通信／ディスカバリサービス伝送の専用サブフレームでセルラーサービスを割り当てることができないが、他のＵＥは該サブフレームでセルラーサービスを割り当てることができ、基地局がＵＥのProSeサービス通信能力の有無を知らないと、リソース割り当ての際に正確な判断を下すことができない。一方、ProSeサービスとセルラーサービスが異なるbandに位置するシーンを考慮すると、ＵＥが２つのbandでの同時送受信をサポートする場合、ProSe通信伝送を開始する時、一方のbandでProSeデータを送受信する必要があるため、他方のbandでセルラーネットワークユニキャストネットワークデータを送受信するしかなく、すなわちセルラーネットワークユニキャストネットワークにとって、ＵＥのキャリアアグリゲーション能力が低下する。基地局は、ＵＥがＤ２Ｄ(Device to Device)サービスの受信を行う必要があることを知らず、依然としてＵＥに２つのbandでのセルラーネットワーク���ニキャストデータの送受信を割り当てている場合は、ＵＥは、同一の帯域でセルラーネットワークユニキャストデータとProSeデータを同時に受信／送信し、互いに大きな干渉をもたらし、更にＵＥがデータを正確に送受信できなくなってしまう。また、各ＵＥの受信機は、性能が異なるため、ＵＥが２つの帯域での同時伝送をサポートしても、２つの受信ユニットが互いに影響するため、任意の２つの帯域での同時受信がいずれも可能であるわけがなく、ＵＥは２つの不適切な帯域を割り当てられて２種類の異なるサービスを同時に受信する場合、互いに大きな干渉をもたらし、さらに動作不可能になる。従って、ＵＥにリソースを合理的に効率よく割り当てるために、基地局は、ＵＥのProSe能力を全面的に把握する必要がある。図１に示す方法によれば、第１通信ノードは、近接サービスをサポートする能力を報告し、それにより、第２通信ノードは、第１通信ノードがProSeをサポートする能力を把握できる。それにより、関連技術において、基地局がＵＥのProSe能力の有無を知ることができない問題を解決し、更に第１通信ノードは、低いオーバーヘッドでProSe能力の報告を実現でき、第２通信ノードは、能力情報を取得した後に、第１通信ノードにProSeサービス及び／又はセルラーネットワークサービスリソースを合理的に効率よく割り当てることができ、それによりProSeサービスとセルラーネットワークサービスとの間の干渉や影響を最小限に抑える。
【００４５】
好適な実施プロセスにおいては、上記第１通信ノードは、ユーザー装置（User equipment、ＵＥと略称する）であってもよく、上記第２通信ノードは、基地局であってもよい。
【００４６】
好ましくは、上記近接サービスをサポートする能力情報は、
(1) 近接サービスをサポートする指示情報、
(2) 近接サービスの受信及び／又は送信をサポートする指示情報、
(3) すべての指示したbandに対応したすべての帯域で近接サービスを受信及び／又は送信することをサポートする指示情報、
(4) すべての指示したbandに対応した上り帯域で近接サービスを受信及び／又は送信することをサポートする指示情報、
(5) すべての指示したbandに対応した下り帯域で近接サービスを受信及び／又は送信することをサポートする指示情報、
(6) 特別に指示したbandに対応したすべての帯域で近接サービスを受信及び／又は送信することをサポートする指示情報、
(7) 特別に指示したbandに対応した上り帯域で近接サービスを受信及び／又は送信することをサポートする指示情報、
(8) 特別に指示したbandに対応した下り帯域で近接サービスを受信及び／又は送信することをサポートする指示情報、
(9) 同時にセルラー通信を行うことをサポートするbandパラメータセット及び近接サービスのbandパラメータセットからなるパラメータ組合せ指示情報、
(10) 近接サービスをサポートする能力のbandクラス情報、
(11) セルラー通信及び近接サービスを同時に受信することをサポートするbandパラメータセット、
(12) 近接サービスの受信及び／又は送信をサポートするbandパラメータセット、
(13) 近接サービス専用受信機をサポートする指示情報、
(14) 近接サービス専用送信機をサポートする指示情報、
(15) すべての受信リンク数の指示情報、
(16) すべての送信リンク数の指示情報、
(17) 近接サービス用をサポートする受信リンク数の指示情報、
(18) 近接サービス用をサポートする送信リンク数の指示情報、
(19) 指示したbandで近接サービスを受信するのにギャップ（Gaps）を必要とするか否かの指示情報、
(20) 指示したbandで近接サービスを同時に又は並行して受信できるか否かの指示情報、のうちの少なくとも１つを含むが、これらに限定されない。
ここで、
上記近接サービスは、ProSeディスカバリ、ProSe通信のうちの少なくとも１つを含むが、これらに限定されなく、上り帯域は、第１通信ノードが現在接続又は常駐しているシステムにおいて設定された上り周波数であり、下り帯域は、第１通信ノードが現在接続又は常駐しているシステムにおいて設定された下り周波数であり、該システムは、進化型ユニバーサルモバイルテレコミュニケーションシステム地上無線アクセス（ＥＵＴＲＡ）、ユニバーサルモバイルテレコミュニケーションシステム地上無線アクセス（ＵＴＲＡ）のうちの少なくとも１つを含むが、これらに限定されない。
【００４７】
好ましくは、ステップＳ１０２において、第１通信ノードが指示情報を確定する前に、以下のステップＳ１をさらに含んでもよい。
ステップＳ１： 第１通信ノードと第２通信ノードは、第１通信ノードがサポートするすべての帯域範囲と帯域インデックス値の組合せとの対応関係を予め設定し終わり、対応関係における各帯域範囲はそれぞれ１つの帯域インデックス値に対応する。
【００４８】
好ましくは、ステップＳ１０２において、第１通信ノードが指示情報を確定することは、以下のステップＳ２，Ｓ３のうちの一つを含んでもよい。
ステップＳ２: 第１通信ノードは、第１インデックス値の組合せに対応した帯域範囲でのＥＵＴＲＡネットワークデータの送受信及び第２インデックス値の組合せに対応した帯域範囲での近接サービスデータの送受信を同時にサポートする場合、第１インデックス値の組合せと第２インデックス値の組合せを第２通信ノードに報告する必要があることを確定し、第１インデックス値の組合せと第２インデックス値の組合せはいずれも１つ又は複数のインデックス値を含み、１つ又は複数のインデックス値における各インデックス値は、それぞれ１つの帯域パラメータ情報ユニットに含まれている。
ステップＳ３： 第１通信ノードは、第１インデックス値の組合せに対応した帯域範囲でのＥＵＴＲＡネットワークデータの送受信及び第２インデックス値の組合せに対応した帯域範囲での近接サービスデータの送受信を同時にサポートできない場合、第１インデックス値の組合せ又は第２インデックス値の組合せを第２通信ノードに報告する必要があることを確定し、第１インデックス値の組合せと第２インデックス値の組合せはいずれも１つ又は複数のインデックス値を含み、１つ又は複数のインデックス値における各インデックス値は、それぞれ１つの帯域パラメータ情報ユニットに含まれている。
【００４９】
好ましくは、ステップＳ１０２において、第１通信ノードが指示情報を確定する前に、以下のステップＳ４をさらに含んでもよい。
ステップＳ４： 第１通信ノードと第２通信ノードは、近接サービス専用の受信機及び／又は送信機がサポートするすべての近接サービス帯域範囲と帯域インデックス値との対応関係を予め設定し終わり、対応関係における各近接サービス帯域範囲がそれぞれ１つの帯域インデックス値に対応し、近接サービスは、ProSeディスカバリ、ProSe通信のうちの少なくとも１つを含む。
【００５０】
好ましくは、ステップＳ１０２において、第１通信ノードが指示情報を確定することは、以下のステップＳ５，Ｓ６のうちの少なくとも一つを含んでもよい。
ステップＳ５： 第１通信ノードは、それ自身に近接サービス専用の受信機及び／又は送信機が設定されている場合、近接サービス専用の受信機及び／又は送信機を有する指示情報を第２通信ノードに報告する必要があることを確定する。
ステップＳ６： 第１通信ノードは、それ自身に設定されている近接サービス専用の受信機及び／又は送信機が複数の帯域で動作する時、対応関係から各帯域に対応したインデックス値を取得する場合、複数のインデックス値の組合せを第２通信ノードに報告する必要があることを確定する。
【００５１】
好ましくは、ステップＳ１０４において、第１通信ノードが指示情報を第２通信ノードに報告することは、以下の方式のうちの一つを含んでもよい。
方式１： 第１通信ノードは、第２通信ノードからの要求メッセージ（例えば、UE Capability Enquiry）を受信した後に、指示情報を第２通信ノードに報告し、要求メッセージは、近接サービスをサポートする能力情報を取得するためのものである方式。
方式２： 第１通信ノードは、指示情報を第２通信ノードに能動的に報告する方式。
【００５２】
図２は、本発明の実施例による近接サービスをサポートする能力情報の処理方法のフローチャートである。図２に示すように、該方法は、以下の処理ステップＳ２０２〜Ｓ２０４を含んでもよい。
【００５３】
ステップＳ２０２： 第２通信ノードは、第１通信ノードが報告した指示情報を受信し、指示情報は、第１通信ノードが近接サービスをサポートする能力情報を指示するためのものである。
【００５４】
ステップＳ２０４： 第２通信ノードは、指示情報に基づき、第１通信ノードに近接サービスリソース及び／又はセルラーネットワークサービスリソースを割り当てる。
【００５５】
好ましくは、上記近接サービスをサポートする能力情報は、以下の(1)〜(20)の情報のうちの少なくとも１つを含むが、これらに限定されない。
(1) 近接サービスをサポートする指示情報。
(2) 近接サービスの受信及び／又は送信をサポートする指示情報。
(3) すべての指示したbandに対応したすべての帯域で近接サービスを受信及び／又は送信することをサポートする指示情報。
(4) すべての指示したbandに対応した上り帯域で近接サービスを受信及び／又は送信することをサポートする指示情報。
(5) すべての指示したbandに対応した下り帯域で近接サービスを受信及び／又は送信することをサポートする指示情報。
(6) 特別に指示したbandに対応したすべての帯域で近接サービスを受信及び／又は送信することをサポートする指示情報。
(7) 特別に指示したbandに対応した上り帯域で近接サービスを受信及び／又は送信することをサポートする指示情報。
(8) 特別に指示したbandに対応した下り帯域で近接サービスを受信及び／又は送信することをサポートする指示情報。
(9) 同時にセルラー通信を行うことをサポートするbandパラメータセット及び近接サービスのbandパラメータセットからなるパラメータ組合せ指示情報。
(10) 近接サービスをサポートする能力のbandクラス情報。
(11) セルラー通信及び近接サービスを同時に受信することをサポートするbandパラメータセット。
(12) 近接サービスの受信及び／又は送信をサポートするbandパラメータセット。
(13) 近接サービス専用受信機をサポートする指示情報。
(14) 近接サービス専用送信機をサポートする指示情報。
(15) すべての受信リンク数の指示情報。
(15) すべての送信リンク数の指示情報。
(17) 近接サービス用をサポートする受信リンク数の指示情報。
(18) 近接サービス用をサポートする送信リンク数の指示情報。
(19) 指示したbandで近接サービスを受信するのにギャップ（Gaps）を必要とするか否かの指示情報。
(20) 指示したbandで近接サービスを同時に又は並行して受信できるか否かの指示情報。
ここで、
上記近接サービスは、ProSeディスカバリ、ProSe通信のうちの少なくとも１つを含むが、これらに限定されなく、
上り帯域は、第１通信ノードが現在接続又は常駐しているシステムにおいて設定された上り周波数であり、下り帯域は、第１通信ノードが現在接続又は常駐しているシステムにおいて設定された下り周波数であり、
該システムは、進化型ユニバーサルモバイルテレコミュニケーションシステム地上無線アクセス（ＥＵＴＲＡ）、ユニバーサルモバイルテレコミュニケーションシステム地上無線アクセス（ＵＴＲＡ）のうちの少なくとも１つを含むが、これらに限定されない。
【００５６】
好ましくは、ステップＳ２０４において、第２通信ノードが指示情報に基づき、第１通信ノードに近接サービスリソース及び／又はセルラーネットワークサービスリソースを割り当てることは、以下のステップＳ７，Ｓ８を含んでもよい。
ステップＳ７： 第２通信ノードは、指示情報に基づき、第１通信ノードが近接サービスをサポートする能力を有するが、複数の帯域範囲でのサービスデータの同時送受信をサポートしないことを確定する。
ステップＳ８： 第２通信ノードは、時分割多重化の方式によって、第１通信ノードに近接サービスリソース及びセルラーネットワークサービスリソースを割り当て、又は、第２通信ノードは、時分割多重化の方式のみによって、第１通信ノードにProSeディスカバリリソース及びセルラーネットワークサービスリソースを割り当てる。
【００５７】
好適な実施プロセスにおいて、周波数分割多重化は、２種類のサービスに異なる帯域リソースを割り当てることを表す。時分割多重化は、２種類のサービスに異なる時間リソースを割り当てることを表す。
【００５８】
好ましくは、ステップＳ２０４において、第２通信ノードが、指示情報に基づき、第１通信ノードに近接サービスリソース及び／又はセルラーネットワークサービスリソースを割り当てることは、以下のステップＳ９，Ｓ１０を含んでもよい。
ステップＳ９： 第２通信ノードは、指示情報に基づき、第１通信ノードが近接サービスをサポートする能力を有し、且つ複数の帯域範囲でのサービスデータの同時送受信をサポートすることを確定する。
ステップＳ１０： 第２通信ノードは、時分割多重化の方式によって、第１通信ノードに近接サービスリソース及びセルラーネットワークサービスリソースを割り当て、又は、第２通信ノードは、周波数分割多重化の方式によって、第１通信ノードに近接サービスリソース及びセルラーネットワークサービスリソースを割り当て、又は、第２通信ノードは、時分割多重化の方式によって、第１通信ノードにProSeディスカバリリソース及びセルラーネットワークサービスリソースを割り当て、且つ周波数分割多重化の方式によって、第１通信ノードにProSe通信リソース及びセルラーネットワークサービスリソースを割り当てる。
【００５９】
好ましくは、ステップＳ２０２において、第２通信ノードが第１通信ノードの報告した指示情報を受信することは、以下の方式のうちの１つを含んでもよい。
方式１： 第２通信ノードは、要求メッセージを第１通信ノードに送信した後に、第１通信ノードが報告した指示情報を受信し、要求メッセージは、近接サービスをサポートする能力情報を取得するためのものである方式。
方式２： 第２通信ノードは、第１通信ノードが能動的に報告した指示情報を受信する方式。
【００６０】
従来の通信プロトコルでは、ＵＥのすべてのサポート可能な上り・下り帯域に１つのbandインデックス番号を指定し、各bandインデックス番号（例えば、band 1）は、１つの上り帯域リソース（例えば、１９２０MHz-１９８０MHz）及び１つの下り帯域リソース（例えば、２１１０MHz-２１７０MHz）に対応する。ＵＥが基地局に該bandインデックス番号を報告すると、ＵＥの送信機が該bandインデックス番号に対応した上り帯域リソースでデータを送信することをサポートし、及びＵＥの受信機が該bandインデックス番号に対応した下り帯域リソースでデータを受信することをサポートすることを表す。ＦＤＤ(Frequency Division Duplex)システムに対して、上り帯域と下り帯域は異なり、換言すれば、ＵＥが送信をサポートする帯域と受信をサポートする帯域も異なる。
【００６１】
しかしながら、ProSeをサポートするＵＥは、どの帯域で、データの受信だけではなく、送信もサポートできるかを、基地局に通知する必要がある。しかし、従来の指示方法では、明らかに実現できない。
【００６２】
なお、本発明の実施例に言及されるProseサービスは、以下のうちの少なくとも１つを含むが、これらに限定されない。
(1) Proseディスカバリサービス。
(2) Prose通信サービス。
【００６３】
以下、好適な実施形態を参照して、上記好適な実施プロセスについて更に説明する。
【００６４】
好適な実施例１
本好適な実施例において、表１は、本発明の好適な実施例によるシステムが予め設定した上り・下り帯域範囲とbandインデックスとの対照関係表である。それは、表１に示すとおりである。
【００６５】
【表１】
0006555764.tif 000002
【００６６】
該方法は、以下の処理ステップ１〜３を含んでもよい。
【００６７】
ステップ１： 基地局は、指示情報をＵＥに送信し、該指示情報（例えば、UE Capability Enquiry）は、ＵＥ能力の取得を要求するためのものである。
【００６８】
ステップ２： ＵＥは、基地局にＵＥ能力情報の指示情報を報告する。
【００６９】
ＵＥ能力情報の指示情報は、以下のうちの少なくとも１つを含むが、これらに限定されない。
(1) ＵＥがサポートするbandの指示情報supported Band Combination。
(2) ＵＥがProse機能をサポートするProse-enabled識別子。
【００７０】
0006555764.tif 000003
【００７１】
上記ProSe-enabledは、他の名称を有してもよいが、ＵＥは、サポートするbandでProSeディスカバリ及び／又は通信を行う能力を有することを、明らかにする必要がある。
【００７２】
上記Supported Band Combination情報は、複数の組合せからなるシーケンス（sequence）を含むが、それに限定されるものでなく、各組合せは、１つ又は複数のbandパラメータからなり、bandパラメータは、bandインデックス番号を含む。
【００７３】
ステップ３： 基地局は、ＵＥ能力情報の指示情報を受信した後に、続いてＵＥのＤ２Ｄディスカバリ又は通信要求割り当て指示を受信すると、基地局は、ＵＥにセルラーネットワークサービス及び／又はProSeサービスのリソースを割り当てる。
【００７４】
該好適な実施例において、基地局は、ＵＥ能力情報の指示情報におけるSupported Band Combination情報を受信した後に、予め設定した上り・下り帯域範囲とbandインデックスとの対照関係表に基づき、ＵＥのサポートする帯域範囲を知る。シーケンスにおける一部の組合せには、複数のbandパラメータが存在すると、ＵＥが上記複数のbandに対応した上り・下り帯域でのデータの同時送受信をサポートすることを示し、シーケンスにおけるすべての組合せがいずれも１つのbandパラメータを含むと、ＵＥが複数の帯域でのデータの同時送受信をサポートしないことを示す。
【００７５】
基地局は、ProSe-enabled指示情報を受信した後に、ＵＥがProSeディスカバリ及び／又は通信をサポートする能力を有することを知り、伝送する必要があるサービスがあり、且つＵＥは複数の帯域でのデータの同時送受信をサポートしない場合、基地局は、以下の操作のうちの１つを実行してもよい。
操作１： 時分割多重化の方式によって、ＵＥに、ProSeディスカバリ及び／又は通信サービスのリソース及びセルラーネットワークサービスのリソースを割り当てる操作。
操作２： 時分割多重化の方式によって、ＵＥに、ProSeディスカバリサービスのリソース及びセルラーネットワークサービスのリソースを割り当てるが、時分割多重化の方式によって、ＵＥにProSe通信サービスのリソース及びセルラーネットワークサービスのリソースを割り当てることができない操作。
【００７６】
ProSeディスカバリサービス及び／又は通信サービスのリソースは、ＵＥがデータを送信するリソース及びデータを傍受するリソースを含んでもよい。
【００７７】
好適な実施例２
本好適な実施例において、ＵＥが、Ｎ個の帯域でのデータの同時送受信をサポートする（Ｎは、正の整数であって、Ｎ≧２である）場合、本好適な実施例と上記好適な実施例１との相違点は、以下のとおりである。
【００７８】
基地局は、ProSe-enabled指示情報を受信した後に、ＵＥがProSeディスカバリ及び／又は通信をサポートする能力を有することを知り、伝送する必要があるサービスがある場合、基地局は、以下の操作１〜３のうちの１つを実行してもよい。
【００７９】
操作１： 時分割多重化の方式によって、ＵＥに、ProSeディスカバリ及び／又は通信サービスのリソース及びセルラーネットワークサービスのリソースを割り当てる操作。
【００８０】
操作２： 周波数分割多重化の方式によって、ＵＥに、ProSeディスカバリ及び／又は通信サービスのリソース及びセルラーネットワークサービスのリソースを割り当てる操作。
【００８１】
基地局は、セルラーネットワークのサービスを受信／送信するためのbandを多くともＮ−Ｍ個、ProSeディスカバリ及び／又は通信サービスを受信するためのbandを多くともＭ個、ＵＥに割り当てることができ、ここで、Ｍ＝１：Ｎであり、すなわちＭは１以上Ｎ以下の自然数であることを示し、Ｍの好適な取る値が１である。好適な実施プロセスにおいて、Ｍ＝Ｎであると、ＵＥがセルラーネットワークの制御情報、及びProSeディスカバリ及び／又は通信のサービスデータのみを受信し、セルラーネットワークのサービスデータを受信しないことを示す。
【００８２】
操作３： 時分割多重化の方式によって、ＵＥに、ProSeディスカバリサービスのリソース及びセルラーネットワークサービスのリソースを割り当て、周波数分割多重化の方式によって、ＵＥに、ProSe通信サービスのリソース及びセルラーネットワークサービスのリソースを割り当てる操作。
【００８３】
基地局は、セルラーネットワークのサービスを受信するためのbandを多くともＮ−Ｍ個、ProSe通信サービスを受信するためのbandを多くともＭ個、ＵＥに同時に割り当てることができ、ここで、Ｍ＝１：Ｎであり、Ｍの好適な取る値が１である。好適な実施プロセスにおいて、Ｍ＝Ｎであると、ＵＥがセルラーネットワークの制御情報及びProSe通信のサービスデータのみを受信し、セルラーネットワークのサービスデータを受信しないことを示す。
【００８４】
本好適な実施例において、基地局は、優先的に操作３を選択して実行する。例えば、Ｎ＝２であると、ＵＥが２つのbandでの同時送受信をサポートすることを示し、伝送する必要があるProSeサービスがないと、ＵＥのキャリアアグリゲーション能力が２であり、すなわち２つのbandでセルラーネットワークデータを同時に送受信することができる。しかし、ProSe通信サービスの伝送を開始すると、１つのbandのみでセルラーネットワークデータを送受信でき、すなわちセルラーネットワークにとって、ＵＥのキャリアアグリゲーション能力が１に下がる。
【００８５】
好適な実施例３
本好適な実施例と上記好適な実施例１、好適な実施例２との相違点は、ＵＥが、ProSeディスカバリ及びProSe通信の能力を別々に指示することである。
【００８６】
端末は、基地局にＵＥ能力情報を報告し、ＵＥ能力情報は、以下の識別子のうちの少なくとも１つを含むが、これらに限定されない。
(1) Prose-discovery-enabled識別子。
(2) Prose-communication-enabled識別子。
【００８７】
0006555764.tif 000004
【００８８】
Prose-discovery-enabled識別子とProse-communication-enabled識別子は、他の名称を採用してもよいが、それぞれＵＥは、サポートするbandでProSeディスカバリ及びProSe通信を行う能力を有することを明らかにする必要がある。
【００８９】
基地局は、Prose-discovery-enabled指示情報を受信した後に、ＵＥがProSeディスカバリをサポートする能力を有することを知り、伝送する必要があるサービスがあり、且つＵＥが複数の帯域でのデータの同時送受信をサポートしない場合は、基地局は、時分割多重化の方式によって、ＵＥにProSeディスカバリのリソース及びセルラーネットワークサービスのリソースを割り当てるという操作を採用してもよい。
【００９０】
基地局は、Prose-communication-enabled指示情報を受信した後に、ＵＥがProSe通信をサポートする能力を有することを知り、伝送する必要があるサービスがあり、且つＵＥが複数の帯域でのデータの同時送受信をサポートしない場合は、基地局は、時分割多重化の方式によって、ＵＥにProSe通信のリソース及びセルラーネットワークサービスのリソースを割り当てるという操作を採用してもよい。
【００９１】
ProSeディスカバリサービス及び／又は通信サービスのリソースは、ＵＥがデータを送信するリソース及びデータを傍受するリソースを含むが、これらに限定されない。
【００９２】
好適な実施例４
本好適な実施例において、ＵＥは、Ｎ個の帯域でデータを同時に送受信することをサポートする能力を有し、ＵＥの報告した能力情報の具体的なパラメータ値が異なる以外、本好適な実施例と上記好適な実施例３との相違点は、さらに以下を含む。
【００９３】
基地局は、Prose-discovery-enabled識別子及び／又はProse-communication-enabled識別子を受信した後に、上記好適な実施例３に記載の各操作を実行できる以外、さらに以下の操作１〜２のうちの少なくとも１つを実行してもよい。
【００９４】
操作１： 周波数分割多重化の方式によって、ＵＥにProSeディスカバリ及び／又は通信サービスのリソース及びセルラーネットワークサービスのリソースを割り当てる操作。
【００９５】
基地局は、セルラーネットワークのサービスを受信するためのbandを多くともＮ−Ｍ個、ProSeディスカバリ及び／又は通信サービスを受信するためのbandを多くともＭ個、ＵＥに割り当てることができ、ここで、Ｍ＝１：Ｎであり、Ｍの好適な取る値は１である。Ｍ＝Ｎであると、ＵＥがセルラーネットワークの制御情報及びProSeディスカバリ及び／又は通信のサービスデータのみを受信し、セルラーネットワークのサービスデータを受信しないことを示す。
【００９６】
操作２： 時分割多重化の方式によって、ＵＥにProSeディスカバリサービスのリソース及びセルラーネットワークサービスのリソースを割り当て、周波数分割多重化の方式によって、ＵＥにProSe通信サービスのリソース及びセルラーネットワークサービスのリソースを割り当てる操作。
【００９７】
基地局は、セルラーネットワークのサービスを受信するためのbandを多くともＮ−Ｍ個、ProSe通信サービスを受信するためのbandを多くともＭ個、ＵＥに同時に割り当てることができ、ここで、Ｍ＝１：Ｎであり、好ましくは、Ｍの好適な取る値は１である。Ｍ＝Ｎであると、ＵＥがセルラーネットワークの制御情報及びProSe通信のサービスデータのみを受信し、セルラーネットワークのサービスデータを受信しないことを示す。
【００９８】
好適な実施例５
本好適な実施例と上記好適な実施例１との相違点は、
端末は、基地局にＵＥ能力情報を報告し、ＵＥ能力情報は、Prose-discovery-enabled識別子、Prose-communication-enabled識別子のうちの少なくとも１つを含むが、これらに限定されないことである。
【００９９】
0006555764.tif 000005
【０１００】
Prose-discovery-enabled識別子とProse-communication-enabled識別子は、他の名称を採用してもよく、それぞれＵＥがProSeディスカバリ及びProSe通信を行う能力を有することを示す。ProSe-receiver識別子は、同様に他の名称を採用してもよく、ＵＥが専用の受信機でのProSeサービスの受信をサポートするかどうかを示す。
【０１０１】
ＵＥが単独な受信機でのProSeサービスの受信をサポートする場合、ＵＥは、セルラーネットワークサービスとProSeサービスを同時に受信でき、基地局は、ＵＥに下りセルラーネットワークリソースを割り当てる時、ProSeサービスとの時分割処理が不要である。
【０１０２】
ProSeディスカバリサービス及び／又は通信サービスのリソースは、ＵＥがデータを送信するリソース及びデータを傍受するリソースを含むが、これらに限定されない。
【０１０３】
好適な実施例６
本好適な実施例において、ＵＥが単独な受信機でのProSeサービスの受信をサポートする場合、本好適な実施例と上記好適な実施例５との相違点は、以下の通りである。
【０１０４】
上記好適な実施例１に記載の対照表以外、基地局とＵＥにProSeサービス動作帯域範囲とbandインデックスとの対照関係表を更に予め設定する必要があり、それは、表２に示す通りである。
【０１０５】
【表２】
0006555764.tif 000006
【０１０６】
また、ＵＥは、さらにProSeサービスがサポートする動作帯域範囲に対応したbandインデックスを報告する必要がある。基地局は、上記インデックス情報を受信した後に、bandインデックスに対応した帯域で、ＵＥにProSeサービスのリソースを割り当てることができる。
【０１０７】
好適な実施例７
本好適な実施例と上記好適な実施例１との相違点は、以下の通りである。
【０１０８】
上記好適な実施例１に記載のProSe-enabled識別子を細分化し、ProSe-UL-enabled、ProSe-DL-enabledを含むが、これらに限定されない。ProSe-UL-enabledは、ＵＥが報告したサポートするbandインデックスに対応した上り帯域でのProSeサービスの送受信をサポートすることを指示し、ProSe-DL-enabledは、ＵＥが報告したサポートするbandインデックスに対応した下り帯域でのProSeサービスの送受信をサポートすることを指示する。ＵＥは、ProSe-UL-enabled及びProSe-DL-enabled識別子を同時に報告する場合、ＵＥは、報告したbandインデックスに対応した上り・下り帯域でのProSeサービスの送受信をサポートすることを示す。
【０１０９】
基地局は、ProSe-enabled識別子を受信した後、その処理方式は上記好適な実施例１と同様であり、ＵＥのサポートする帯域でＵＥにProSeサービスリソースを割り当てる。
【０１１０】
0006555764.tif 000007
【０１１１】
好適な実施例８
本好適な実施例は、上記好適な実施例１をさらに詳細化し、その相違点は、以下の通りである。
【０１１２】
ＵＥがどのbandインデックスに対応した帯域でProSeサービスをサポートするかを、具体的に指示する。基地局と端末は、上り・下り帯域範囲とbandインデックスとの対照関係表を予め設定し、それは、上記表１に示す通りである。端末は、基地局にＵＥ能力情報を報告する。ＵＥ能力情報は、ＵＥがセルラーネットワークでの動作をサポートする帯域に対応したbandインデックス指示情報を含むが、これに限定されない。
【０１１３】
ＵＥは、複数のbandでのセルラーネットワークデータの送受信をサポートするが、一部のbandインデックスに対応した上り帯域及び／又は下り帯域でのProSeサービスの送受信のみをサポートする場合、それぞれどのbandに対応した上り帯域及び／又は下り帯域での送受信をサポートするかを指示する必要がある。
【０１１４】
ＵＥは、bandパラメータ（BandParameters）指示情報を報告し、該指示情報は、bandインデックス番号及びbandインデックス番号に対応した上り周波数及び／又は下り周波数がProSeサービスの送受信をサポートするか否かの指示情報UL-Prose及び／又はDL-Proseを含んでもよい。
【０１１５】
0006555764.tif 000008
【０１１６】
UL-Proseは、該bandインデックスに対応した上り帯域でのProSeディスカバリ及び／又は通信サービスの送受信が可能であることを示す。
DL-Proseは、該bandインデックスに対応した下り帯域でのProSeディスカバリ及び／又は通信サービスの送受信が可能であることを示す。
基地局は、上記指示情報を受信した後に、ＵＥのProSeディスカバリ及び／又は通信をサポートする能力の有無、及びProSeディスカバリ及び／又は通信能力を行う帯域を知ることができ、リソース割り当て方式は、上記好適な実施例１と類似し、ここでは繰り返して説明しない。
【０１１７】
好適な実施例９
本好適な実施例と上記好適な実施例８との相違点は、以下の通りである。
【０１１８】
ＵＥは、bandパラメータ（Band Parameters）指示情報を報告し、該指示情報は、bandインデックス番号及び該bandのクラス（class）を含んでもよい。前記bandのクラスは、前記bandがProseサービスをサポートするか否かを判定できる。例えば、クラスがｈ以上であると、該bandがProseサービスをサポートすることを示し、逆の場合はサポートしないことを示す。
【０１１９】
好適な実施例１０
ステップ１： 基地局は、指示情報をＵＥに送信し、該指示情報（例えば、UE Capability Enquiry）は、ＵＥ能力の取得を要求するためのものである。
【０１２０】
ステップ２: ＵＥは、基地局にＵＥ能力情報の指示情報を報告する。
【０１２１】
ＵＥ能力情報の指示情報は、以下の(1)，(2)を含むが、これらに限定されない。
【０１２２】
(1) ＵＥがセルラー通信の同時実行をサポートする帯域に対応したbandパラメータ情報の組合せ、及び近接サービスを実行する帯域に対応したbandパラメータ情報の組合せ。例えば、Band Combination及びProse Band Combination（他の命名方式を排除するものはない）を含む。
【０１２３】
(2) ＵＥがセルラーデータ及び近接サービスデータの同時受信をサポートする帯域に対応した１つ又は複数のbandパラメータ組合せ。bandパラメータは、bandインデックスを含み、ＵＥは、前記FDD bandインデックスに対応した下り帯域でセルラーデータを受信し、前記FDD bandインデックスに対応した上り帯域で近接サービスデータを受信する。bandパラメータ組合せは、１つのbandパラメータ又は複数のbandパラメータからなってもよい。bandパラメータ組合せが複数のbandパラメータを含むと、ＵＥが複数のbandでのセルラーデータ及び近接サービスデータの同時受信をサポートできることを示す。
【０１２４】
ステップ３： 基地局は、ＵＥ能力情報の指示情報を受信した後に、続いてＵＥのＤ２Ｄディスカバリ又は通信要求割り当て指示を受信すると、基地局は、ＵＥにセルラーネットワークサービス及び／又はProSeサービスのリソースを割り当てる。
【０１２５】
基地局は、Band Combination及びProse Band Combinationに基づき、ＵＥがどの帯域で同時にセルラー通信を行うか、及びどの帯域で近接サービスの受信を行うかを確定でき、それによりＵＥに適切なサービスリソースを割り当てる。
【０１２６】
好適な実施例１１
本好適な実施例と上記好適な実施例８との相違点は、以下の通りである。
UL-Proseを、UL-Prose-discovery及びUL-Prose-communicationにさらに分け、
DL-Proseを、DL-Prose-discovery及びDL-Prose-communicationにさらに分けることである。
【０１２７】
UL-Prose-discoveryは、該bandインデックスに対応した上り帯域でのProSeディスカバリサービスの送受信を行うことができることを示す。
DL-Prose-discoveryは、該bandインデックスに対応した下り帯域でのProSeディスカバリサービスの送受信を行うことができることを示す。
UL-Prose-communicationは、該bandインデックスに対応した上り帯域でのProSe通信サービスの送受信を行うことができることを示す。
DL-Prose-communicationは、該bandインデックスに対応した下り帯域でのProSe通信サービスの送受信を行うことができることを示す。
【０１２８】
基地局がＵＥの能力情報を取得した後、その処理方式は上記好適な実施例１と類似し、ここでは繰り返して説明しない。
【０１２９】
好適な実施例１２
本好適な実施例と上記好適な実施例１との相違点は、以下の通りである。
【０１３０】
基地局と端末は同様に、１つのセルラー通信用の上り・下り帯域範囲とbandインデックスとの対照関係表を予め設定する必要がある。それは、上記表１に示す通りである。同時に、基地局と端末はさらに１つのProseディスカバリ及び／又は通信サービス用の帯域とbandインデックスとの対照関係表を予め設定する必要がある。それは、表３に示す通りである。
【０１３１】
【表３】
0006555764.tif 000009
【０１３２】
なお、上記表３におけるインデックス番号と上記表１におけるインデックス番号は、重複しない。
【０１３３】
ＵＥは、Proseサービスをサポートする帯域に対応したbandインデックス番号及びセルラーサービスをサポートする帯域に対応したbandインデックス番号を報告し、ＵＥがセルラーネットワークサービスとProseディスカバリ及び／又は通信サービスの同時送受信をサポートする場合、異なるサービス用のbandインデックス番号を組合せ方式で報告する。例えば、ＵＥは、band 1でのセルラー通信とband 50でのProseディスカバリ及び／又は通信を同時にサポートする場合、ＵＥは、band Parameter List指示情報によって｛１，５０｝の組合せを報告し、ＵＥは、band Parameter Listですべての可能な組合せを報告する必要がある。
【０１３４】
基地局は、bandインデックス番号に基づきテーブルをルックアップすると、ＵＥがどの帯域でのセルラー通信サービスとProseディスカバリ及び／又は通信サービスの同時伝送をサポートするかを知ることができる。
【０１３５】
好適な実施例１３
本好適な実施例と上記好適な実施例１２との相違点は、以下の通りである。
【０１３６】
上記表３におけるインデックス番号と上記表１におけるインデックス番号とは、重複することがあるため、同一の指示情報で表１及び表３における帯域を示すことが不可能であり、それぞれ異なる指示情報を用いて両者のインデックスを示す必要がある。
【０１３７】
0006555764.tif 000010
【０１３８】
band Parameter List指示情報は、ＵＥが同時に動作できる複数の帯域に対応したbandインデックスの組合せを指示し、該組合せは、１つ又は複数のband EUTRA及び／又はband Proseを含んでもよい。band EUTRA指示情報は、ＵＥがサポートするセルラーサービスの帯域に対応したbandインデックス番号を指示し、band Prose指示情報は、ＵＥがサポートするProseサービスの帯域に対応したbandインデックス番号を指示する。
【０１３９】
好適な実施例１４
本好適な実施例において、いくつかのＵＥに１つのProseサービス専用の送受信機を設計することができる。ＵＥは、基地局に指示情報を報告することにより、基地局に該ＵＥが１つのProseサービス専用の受信機／送信機を有するか否かを通知する必要がある。
【０１４０】
従って、本好適な実施例と上記好適な実施例１との相違点は、さらに以下の通りである。
【０１４１】
ＵＥが報告する能力指示情報は、次を含んでもよい。
【０１４２】
0006555764.tif 000011
【０１４３】
tx-Config ProSeは、ＵＥがProseサービス専用の送信機を有することを示す。
rx-Config ProSeは、ＵＥがProseサービス専用の受信機を有することを示す。
【０１４４】
基地局は,上記rx-Config ProSe指示情報を受信した後に、ＵＥが専用の受信機によるProseサービスの受信をサポートすることを知ると、セルラーネットワークの送受信機との共用が不要になり、換言すれば、基地局は、この２種類のサービスにリソースを別々に割り当てることができる。
【０１４５】
好適な実施例１５
該好適な実施例と上記好適な実施例１４との相違点は、Proseサービス専用の送受信機とセルラーネットワークの送受信機の動作帯域が異なるため、Proseサービス専用の送受信機のサポートする帯域範囲を別途に指示する必要がある。
【０１４６】
基地局とＵＥ側は、いずれも１つのProseサービス専用の帯域範囲とbandインデックスとの対照関係表を予め設定する必要がある。
【０１４７】
ＵＥが報告する能力指示情報は、次を含んでもよい。
【０１４８】
0006555764.tif 000012
【０１４９】
上記すべてのＩＥは、他の名称を採用してもよく、表す意味は下記通りである。
【０１５０】
Supported ProSe Band Combinationは、複数の組合せからなるシーケンス（sequence）を含むが、これらに限定されないことを示す。各組合せは、１つ又は複数のProse動作帯域に対応したbandインデックス番号からなり、ＵＥがこの組合せで指示される帯域でProseサービスを同時に送受信することを示す。
【０１５１】
基地局は、上記Supported ProSe Band Combinationを受信した後に、予め設定した上り・下り帯域範囲とbandインデックスとの対照関係表に基づき、ＵＥがサポートするProseサービスの送受信を同時に行う帯域範囲を知ることができる。シーケンスにおける一部の組合せが複数のbandインデックス番号を有する場合、ＵＥがこれらの複数のbandに対応した帯域でのProseデータの同時送受信をサポートすることを示し、シーケンスにおけるすべての組合せがいずれも１つのband番号を有する場合、ＵＥが複数の帯域でのProseデータの同時送受信をサポートしないことを示す。基地局は、上記情報を取得した後に、ＵＥにProseサービス伝送リソースを合理的に割り当てることができる。
【０１５２】
同様に、Proseサービスは、Proseディスカバリ及びProse通信を含むが、これらに限定されないため、上記すべてのProseに関連する指示は、それぞれProseディスカバリとProse通信のために指示してもよい。
【０１５３】
好適な実施例１６
ステップ１： 基地局は、指示情報をＵＥに送信し、該指示情報（例えば、UE Capability Enquiry）は、ＵＥ能力の取得を要求するためのものである。
【０１５４】
ステップ２： ＵＥは、受信可能なすべてのFDD band帯域パラメータ及び同時受信又は並行受信可能な帯域組合せパラメータ情報を基地局に報告し、band帯域組合せ情報は、組合せ内における各band帯域のパラメータ情報を含み、各band帯域パラメータは、以下の指示情報うちの少なくとも１つを含む。
【０１５５】
近接サービス（Prose）のサービス受信をサポートするか否かの指示情報。
ギャップ（Gaps）で該bandでのProseサービスを受信する必要があるか否かの指示情報、例えば、次に示す。
【０１５６】
0006555764.tif 000013
【０１５７】
該bandでのProseサービスの同時受信又は並行受信をサポートするか否かの指示情報、例えば、次に示す。
【０１５８】
0006555764.tif 000014
【０１５９】
ステップ３： 基地局は、ＵＥ能力情報の指示情報を受信した後に、以下のように判断することができる。
【０１６０】
ＵＥは、あるband帯域組合せ（例えば、band 1とband 2）における１つのband帯域（例えば、band 1）パラメータにおいて、ギャップ（Gaps）で同bandでのProseサービスを受信する必要があることを指示し、又は同時受信又は並行受信が不可能であることを指示する場合、ＵＥのband 1とband 2でのデータの同時受信又は並行受信、band 1での近接サービスのデータの受信が可能であるが、band 1での近接サービスとセルラーサービスの同時受信又は並行受信が不能であることを示す。
【０１６１】
ＵＥは、あるband帯域組合せ（例えば、band 3とband 4）における１つのband帯域（例えば、band 3）パラメータにおいて、ギャップ（Gaps）で同bandでのProseサービスを受信する必要がないことを指示し、又は同時受信又は並行受信が可能であることを指示する場合、ＵＥのband 3とband 4でのデータの同時受信又は並行受信、band 3での近接サービスとセルラーサービスの同時受信又は並行受信が可能であることを示す（例えば、band 3に対応した上り帯域で近接サービスを受信し、band 3に対応した下り帯域でセルラーサービスを受信する）。
【０１６２】
ＵＥは、あるband（例えば、band 5）のパラメータにおいて、ギャップ（Gaps）で前記bandでのProseサービスを受信する必要がないことを指示し、又は同時受信又は並行受信が可能であることを指示する場合、ＵＥのband 5での近接サービスとセルラーサービスの同時受信又は並行受信が可能であることを示す（例えば、band 5に対応した上り帯域で近接サービスを受信し、band 5に対応した下り帯域でセルラーサービスを受信する）。
【０１６３】
ＵＥは、あるband（例えば、band 6）のパラメータにおいて、ギャップ（Gaps）で前記bandでのProseサービスを受信する必要があることを指示し、又は同時受信又は並行受信が不可能であることを指示する場合、ＵＥのband 6での近接サービスとセルラーサービスの同時受信又は並行受信が不可能であることを示す。
【０１６４】
基地局は、上記情報に基づき、ＵＥがどの帯域でセルラー通信データを同時に又は並行して受信できるか、どの帯域で近接サービスデータを同時に又は並行して受信できるか、及びどの帯域でセルラー通信及び近接サービスデータを同時に又は並行して受信できるか、などを確定できる。基地局は、続いてＵＥのＤ２Ｄディスカバリ又は通信の割り当て要求指示を受信した後に、ＵＥに適切なサービスリソースを割り当てることができる。
【０１６５】
好適な実施例１７
ステップ１： 基地局は、指示情報をＵＥに送信し、該指示情報（例えば、UE Capability Enquiry）は、ＵＥ能力の取得を要求するためのものである。
【０１６６】
ステップ２： ＵＥは、受信可能なすべてのFDD band帯域パラメータ及び同時受信又は並行受信可能な帯域組合せパラメータ情報を基地局に報告し、各band帯域パラメータ及び／又はband帯域セットは、以下の 1)〜 5)の指示情報のうちの少なくとも１つを含む。
【０１６７】
1) 近接サービス（Prose）のサービス受信をサポートするか否かの指示情報。
【０１６８】
2) 近接サービスbandリストProse Band Listにおいて各bandでのProseサービスを受信するのに、ギャップ（Gaps）を必要とするか否かの指示情報、例えば、次に示す。
【０１６９】
0006555764.tif 000015
【０１７０】
3) 近接サービスbandリストProse Band Listにおいて各bandでのProseサービスを同時に並行して受信できるか否かの指示情報、例えば、次に示す。
【０１７１】
0006555764.tif 000016
【０１７２】
4) 近接サービス異周波数リストProseinter Freq Band Listにおいて各bandでのProseサービスを受信するのに、ギャップを必要とするか否かの指示情報（例えば、ProseFreqNeedForGaps）、例えば、次に示す。
【０１７３】
0006555764.tif 000017
【０１７４】
5) 近接サービスインターラットリストProse inter RAT-Band Listにおいて各bandでProseサービスを受信するのに、ギャップを必要とするか否かの指示情報。
【０１７５】
ステップ３： 基地局は、ＵＥ能力情報の指示情報を受信した後、以下のように判断する。
【０１７６】
ＵＥが、あるband（例えば、band 1）パラメータの近接サービスbandリスト又はサービス異周波数リスト又は近接サービスインターラットリストにおける対応したあるband（例えば、band 1）で、ギャップ（Gaps）が不要であることを指示し、又は近接サービスbandリストにおける対応したあるband（例えば、band 1）で同時送信又は並行受信が可能であることを指示する場合、ＵＥがband 1で近接サービスとセルラーサービスを同時に又は並行して受信できることを示す（例えば、band 1に対応した上り帯域で近接サービスを受信し、band 1に対応した下り帯域でセルラーサービスを受信する）。その反面、ＵＥがband 1で近接サービスとセルラーサービスを同時に又は並行して受信できないことを示す。
【０１７７】
ＵＥが、あるband（例えば、band 2）パラメータの近接サービスbandリスト又は近接サービス異周波数リスト又は近接サービスインターラットリストにおける対応したあるband（例えば、band 1）で、ギャップ（Gaps）が不要であることを指示し、又は近接サービスbandリストにおける対応したあるband（例えば、band 1）で同時受信又は並行受信が可能であることを指示する場合、ＵＥがband 1とband 2で近接サービスとセルラーサービスを同時に又は並行して受信できることを示し、その反面、ＵＥがband 1とband 2で近接サービスとセルラーサービスを同時に又は並行して受信できないことを示す。
【０１７８】
同様に、ＵＥが、あるbandセット（例えば、band 1とband 2）のパラメータの近接サービスbandリスト又はサービス異周波数リスト又は近接サービスインターラットリストにおける対応したあるband（例えば、band 1）で、ギャップ（Gaps）が不要であることを指示し、又は近接サービスbandリストにおける対応したあるband（例えば、band 1）で同時受信又は並行受信が可能であることを指示する場合、ＵＥがband 1とband 2でセルラーデータを同時に又は並行して受信でき、且つband 1で近接サービスとセルラーサービスを同時に又は並行して受信できることを示す（例えば、band 1に対応した上り帯域で近接サービスを受信し、band 1に対応した下り帯域でセルラーサービスを受信する）。その反面、ＵＥがband 1で近接サービスとセルラーサービスを同時に受信できないことを示す。
【０１７９】
基地局は、上記情報に基づき、ＵＥがどの帯域でセルラー通信データを同時に受信できるか、どの帯域で近接サービスデータを同時に受信できるか、及びどの帯域でセルラー通信及び近接サービスデータを同時に受信できるかなどを確定できる。基地局は、続いてＵＥのＤ２Ｄディスカバリ又は通信割り当て要求指示を受信した後に、ＵＥに適切なサービスリソースを割り当てることができる。
【０１８０】
好適な実施例１８
ステップ１： 基地局は、指示情報をＵＥに送信し、該指示情報（例えば、UE Capability Enquiry）は、ＵＥ能力の取得を要求するためのものである。
【０１８１】
ステップ２： ＵＥは、近接サービスデータを同時に受信／送信可能なbandパラメータ情報及びセルラーデータのbandパラメータ情報を基地局に報告し、bandパラメータ情報は、複数種の組合せを含み、各band帯域パラメータは、以下の(1)〜(3)の指示情報のうちの少なくとも１つを含むが、これらに限定されない。
(1) bandの周波数情報。
(2) 該bandで近接ディスカバリ信号（ProSe-discovery）を受信又は送信することを示すか否かの指示情報。
(3) 該bandで近接通信信号（ProSe-communication）を受信又は送信することを示すか否かの指示情報。
【０１８２】
好適な情報指示ユニットは、以下の通りである。
【０１８３】
0006555764.tif 000018
【０１８４】
基地局は、上記情報に基づき、ＵＥがどの周波数で近接サービスデータを受信できるか、且つ各指示した周波数で近接サービスを受信するとともにどの周波数でセルラーデータをサポートできるか、及び、関連する上りＣＡ(Carrier Aggregation)能力、ＭＩＭＯ(multiple-input and multiple-output)能力及び下りＣＡ能力、ＭＩＭＯ能力を確定し、該ＣＡ能力とＭＩＭＯ能力は、上記band Parameters UL-rxx及びband Parameters DL-rxxで指示される。
【０１８５】
図３は、本発明の実施例による近接サービスをサポートする能力情報の報告装置の構成ブロック図である。図３に示すように、該近接サービスをサポートする能力情報の報告装置は第１通信ノードに設置され、該近接サービスをサポートする能力情報の報告装置は、報告しようとする指示情報を確定し、指示情報は、第１通信ノードが近接サービスをサポートする能力情報を指示するためのものであるように設定される確定モジュール１０と、指示情報を第２通信ノードに報告するように設定される報告モジュール２０と、を備える。
【０１８６】
図３に示す装置によれば、関連技術において基地局がＵＥのProSe能力の有無を知ることができない問題を解決し、更に第１通信ノードは低いオーバーヘッドでProSe能力の報告を実現でき、第２通信ノードは能力情報を取得した後に、第１通信ノードにProSeサービス及び／又はセルラーネットワークサービスリソースを合理的に効率よく割り当てることができ、それによりProSeサービスとセルラーネットワークサービスとの間の干渉や影響を最小限に抑える。
【０１８７】
好適な実施プロセスにおいて、上記第１通信ノードはユーザー装置（User equipment、ＵＥと略称する）であってもよく、上記第２通信ノードは基地局であってもよい。
【０１８８】
好ましくは、上記近接サービスをサポートする能力情報は、以下の(1)〜(20)の情報のうちの少なくとも１つを含むが、これらに限定されない。
(1) 近接サービスをサポートする指示情報。
(2) 近接サービスの受信及び／又は送信をサポートする指示情報。
(3) すべての指示したbandに対応したすべての帯域で近接サービスを受信及び／又は送信することをサポートする指示情報。
(4) すべての指示したbandに対応した上り帯域で近接サービスを受信及び／又は送信することをサポートする指示情報。
(5) すべての指示したbandに対応した下り帯域で近接サービスを受信及び／又は送信することをサポートする指示情報。
(6) 特別に指示したbandに対応したすべての帯域で近接サービスを受信及び／又は送信することをサポートする指示情報。
(7) 特別に指示したbandに対応した上り帯域で近接サービスを受信及び／又は送信することをサポートする指示情報。
(8) 特別に指示したbandに対応した下り帯域で近接サービスを受信及び／又は送信することをサポートする指示情報。
(9) 同時にセルラー通信を行うことをサポートするbandパラメータセット及び近接サービスのbandパラメータセットからなるパラメータ組合せ指示情報。
(10) 近接サービスをサポートする能力のbandクラス情報。
(11) セルラー通信及び近接サービスを同時に受信することをサポートするbandパラメータセット。
(12) 近接サービスの受信及び／又は送信をサポートするbandパラメータセット。
(13) 近接サービス専用受信機をサポートする指示情報。
(14) 近接サービス専用送信機をサポートする指示情報。
(15) すべての受信リンク数の指示情報。
(16) すべての送信リンク数の指示情報。
(17) 近接サービス用をサポートする受信リンク数の指示情報。
(18) 近接サービス用をサポートする送信リンク数の指示情報。
(19) 指示したbandで近接サービスを受信するのにギャップ（Gaps）を必要とするか否かの指示情報。
(20) 指示したbandで近接サービスを同時に又は並行して受信できるか否かの指示情報。
ここで、
上記近接サービスは、ProSeディスカバリ、ProSe通信のうちの少なくとも１つを含むが、これらに限定されなく、上り帯域は、第１通信ノードが現在接続又は常駐しているシステムにおいて設定された上り周波数であり、下り帯域は、第１通信ノードが現在接続又は常駐しているシステムにおいて設定された下り周波数であり、該システムは、進化型ユニバーサルモバイルテレコミュニケーションシステム地上無線アクセス（ＥＵＴＲＡ）、ユニバーサルモバイルテレコミュニケーションシステム地上無線アクセス（ＵＴＲＡ）のうちの少なくとも１つを含むが、これらに限定されない。
【０１８９】
好ましくは、図４に示すように、上記装置は、第２通信ノードとともに、第１通信ノードがサポートするすべての帯域範囲と帯域インデックス値の組合せとの対応関係を予め設定し終わり、対応関係における各帯域範囲がそれぞれ１つの帯域インデックス値に対応するように設定される第１設定モジュール３０をさらに備えてもよい。
【０１９０】
好ましくは、確定モジュール１０は、指示情報を確定することが以下の(1)，(2)のうちの少なくとも一つを含むが、これらに限定されないように設定される。
【０１９１】
(1) 第１インデックス値の組合せに対応した帯域範囲でのＥＵＴＲＡネットワークデータの送受信及び第２インデックス値の組合せに対応した帯域範囲での近接サービスデータの送受信を同時にサポートする場合、第１インデックス値の組合せと第２インデックス値の組合せを第２通信ノードに報告する必要があることを確定し、第１インデックス値の組合せと第２インデックス値の組合せはいずれも１つ又は複数のインデックス値を含み、１つ又は複数のインデックス値における各インデックス値はそれぞれ１つの帯域パラメータ情報ユニットに含まれる。
【０１９２】
(2) 第１インデックス値の組合せに対応した帯域範囲でのＥＵＴＲＡネットワークデータの送受信及び第２インデックス値の組合せに対応した帯域範囲での近接サービスデータの送受信を同時にサポートできない場合、第１インデックス値の組合せ又は第２インデックス値の組合せを第２通信ノードに報告する必要があることを確定し、第１インデックス値の組合せと第２インデックス値の組合せはいずれも１つ又は複数のインデックス値を含み、１つ又は複数のインデックス値における各インデックス値はそれぞれ１つの帯域パラメータ情報ユニットに含まれる。
【０１９３】
好ましくは、図４に示すように、上記装置は、第２通信ノードとともに、近接サービス専用の受信機及び／又は送信機がサポートするすべての近接サービス帯域範囲と帯域インデックス値との対応関係を予め設定し終わり、対応関係における各近接サービス帯域範囲がそれぞれ１つの帯域インデックス値に対応し、近接サービスはProSeディスカバリ、ProSe通信のうちの少なくとも１つを含むが、これらに限定されないように設定される第２設定モジュール４０をさらに備えてもよい。
【０１９４】
好ましくは、確定モジュール１０は、指示情報を確定することが以下の(1)， (2)のうちの少なくとも一つを含むが、これらに限定されないように設定される。
【０１９５】
(1) 自身に近接サービス専用の受信機及び／又は送信機が設定されている場合、近接サービス専用の受信機及び／又は送信機を有する指示情報を第２通信ノードに報告する必要があることを確定する。
【０１９６】
(2) 自身に設定されている近接サービス専用の受信機及び／又は送信機が複数の帯域で動作する時、対応関係から各帯域に対応したインデックス値を取得する場合、複数のインデックス値の組合せを第２通信ノードに報告する必要があることを確定する。
【０１９７】
好ましくは、報告モジュール２０は、指示情報を第２通信ノードに報告することは、以下の方式のうちの一つを含むように設定される。
方式１： 第１通信ノードは、第２通信ノードからの要求メッセージを受信した後に、指示情報を第２通信ノードに報告し、要求メッセージは、近接サービスをサポートする能力情報を取得するためのものである方式。
方式２： 第１通信ノードは指示情報を第２通信ノードに能動的に報告する方式。
【０１９８】
図５は、本発明の実施例による近接サービスをサポートする能力情報の処理装置の構成ブロック図である。図５に示すように、該近接サービスをサポートする能力情報の処理装置は第２通信ノードに設置され、該近接サービスをサポートする能力情報の処理装置は、第１通信ノードが報告した指示情報を受信し、前記指示情報は前記第１通信ノードが近接サービスをサポートする能力情報を指示するためのものであるように設定される受信モジュール５０と、前記指示情報に基づき前記第１通信ノードに近接サービスリソース及び／又はセルラーネットワークサービスリソースを割り当てるように設定される割当モジュール６０と、を備えてもよい。
【０１９９】
好ましくは、上記近接サービスをサポートする能力情報は、以下の(1)〜(20)の情報のうちの少なくとも１つを含むが、これらに限定されない。
(1) 近接サービスをサポートする指示情報。
(2) 近接サービスの受信及び／又は送信をサポートする指示情報。
(3) すべての指示したbandに対応したすべての帯域で近接サービスを受信及び／又は送信することをサポートする指示情報。
(4) すべての指示したbandに対応した上り帯域で近接サービスを受信及び／又は送信することをサポートする指示情報。
(5) すべての指示したbandに対応した下り帯域で近接サービスを受信及び／又は送信することをサポートする指示情報。
(6) 特別に指示したbandに対応したすべての帯域で近接サービスを受信及び／又は送信することをサポートする指示情報。
(7) 特別に指示したbandに対応した上り帯域で近接サービスを受信及び／又は送信することをサポートする指示情報。
(8) 特別に指示したbandに対応した下り帯域で近接サービスを受信及び／又は送信することをサポートする指示情報。
(9) 同時にセルラー通信を行うことをサポートするbandパラメータセット及び近接サービスのbandパラメータセットからなるパラメータ組合せ指示情報。
(10) 近接サービスをサポートする能力のbandクラス情報。
(11) セルラー通信及び近接サービスを同時に受信することをサポートするbandパラメータセット。
(12) 近接サービスの受信及び／又は送信をサポートするbandパラメータセット。
(13) 近接サービス専用受信機をサポートする指示情報。
(14) 近接サービス専用送信機をサポートする指示情報。
(15) すべての受信リンク数の指示情報。
(16) すべての送信リンク数の指示情報。
(17) 近接サービス用をサポートする受信リンク数の指示情報。
(18) 近接サービス用をサポートする送信リンク数の指示情報。
(19) 指示したbandで近接サービスを受信するのにギャップ（Gaps）を必要とするか否かの指示情報。
(20) 指示したbandで近接サービスを同時に又は並行して受信できるか否かの指示情報。
ここで、
上記近接サービスは、ProSeディスカバリ、ProSe通信のうちの少なくとも１つを含むが、これらに限定されなく、上り帯域は、第１通信ノードが現在接続又は常駐しているシステムにおいて設定された上り周波数であり、下り帯域は、第１通信ノードが現在接続又は常駐しているシステムにおいて設定された下り周波数であり、該システムは、進化型ユニバーサルモバイルテレコミュニケーションシステム地上無線アクセス（ＥＵＴＲＡ）、ユニバーサルモバイルテレコミュニケーションシステム地上無線アクセス（ＵＴＲＡ）のうちの少なくとも１つを含むが、これらに限定されない。
【０２００】
好ましくは、図６に示すように、割当モジュール６０は、
指示情報に基づき、第１通信ノードが近接サービスをサポートする能力を有するが、複数の帯域範囲でのサービスデータの同時送受信をサポートしないことを確定するように設定される第１確定ユニット６００と、
時分割多重化の方式によって、第１通信ノードに近接サービスリソース及びセルラーネットワークサービスリソースを割り当て、又は、第２通信ノードは時分割多重化の方式のみによって、第１通信ノードにProSeディスカバリリソース及びセルラーネットワークサービスリソースを割り当てるように設定される第１割当ユニット６０２と、
を備えてもよい。
【０２０１】
好ましくは、図６に示すように、割当モジュール６０は、
指示情報に基づき、第１通信ノードが近接サービスをサポートする能力を有し、且つ複数の帯域範囲でのサービスデータの同時送受信をサポートすることを確定するように設定される第２確定ユニット６０４と、
時分割多重化の方式によって第１通信ノードに近接サービスリソース及びセルラーネットワークサービスリソースを割り当て、又は、第２通信ノードが周波数分割多重化の方式によって第１通信ノードに近接サービスリソース及びセルラーネットワークサービスリソースを割り当て、又は、第２通信ノードが時分割多重化の方式によって第１通信ノードにProSeディスカバリリソース及びセルラーネットワークサービスリソースを割り当て、且つ周波数分割多重化の方式によって第１通信ノードにProSe通信リソース及びセルラーネットワークサービスリソースを割り当てるように設定される第２割当ユニット６０６と、
を備えてもよい。
【０２０２】
好ましくは、受信モジュール５０は、第１通信ノードが報告した指示情報を受信することは、以下の方式のうちの一つを含むように設定される。
方式１： 第２通信ノードは、要求メッセージを第１通信ノードに送信した後に、第１通信ノードが報告した指示情報を受信し、要求メッセージは、近接サービスをサポートする能力情報を取得するためのものである方式。
方式２：第２通信ノードは、第１通信ノードが能動的に報告した指示情報を受信する方式。
【０２０３】
以上の説明から理解できるように、上記実施例は、以下の技術的効果を実現する（なお、これらの効果はある好適な実施例によって達成可能な効果である）。本発明の実施例による技術的解決手段によれば、第１通信ノードが近接サービスをサポートする能力を報告することにより、第２通信ノードは、第１通信ノードがProSeをサポートする能力を知ることができる。それにより、関連技術において基地局がＵＥのProSe能力の有無を知ることができない問題を解決し、更に、第１通信ノードは、低いオーバーヘッドでProSe能力の報告を実現でき、第２通信ノードは、能力情報を取得した後に、第1通信ノードにProSeサービス及び／又はセルラーネットワークサービスリソースを合理的に効率よく割り当てることができ、それによりProSeサービスとセルラーネットワークサービスとの間の干渉や影響を最小限に抑える。
【０２０４】
勿論、当業者は、上記本発明の各モジュール又は各ステップを汎用型コンピューティング装置によって実現でき、単一のコンピューティング装置に集積してもよく、複数のコンピューティング装置からなるネットワークに分布してもよく、選択的に、コンピューティング装置が実行可能なプログラムコードによって実現し、それにより、記憶装置に記憶してコンピューティング装置で実行するようにしてもよく、ある場合に、示した又は説明したステップをここでの順序と異なる順序で実行することもでき、或いはそれらをそれぞれ各集積回路モジュールに作製し、又はそのうちの複数のモジュール又はステップを単一の集積回路モジュールに作製して実現すると理解できる。従って、本発明は、いかなる特定のハードウェアとソフトウェアとの組み合わせに限定されない。
【０２０５】
上記は本発明の好適な実施例であるだけに過ぎず、本発明を限定するものではない。当業者においては、本発明は様々な変更や変形を行うことができる。本発明の趣旨及び原則を逸脱せずに行ったいかなる変更、同等置換、改良などは、いずれも本発明の保護範囲に属する。
【産業上の利用可能性】
【０２０６】
上記のように、本発明の実施例による近接サービスをサポートする能力情報の報告、処理方法及び装置によれば、第１通信ノードにProSeサービス及び／又はセルラーネットワークサービスリソースを合理的に効率よく割り当てることができ、それにより、ProSeサービスとセルラーネットワークサービスとの間の干渉や影響を最小限に抑える。
【図１】
0006555764.tif 000019
【図２】
0006555764.tif 000020
【図３】
0006555764.tif 000021
【図４】
0006555764.tif 000022
【図５】
0006555764.tif 000023
【図６】
0006555764.tif 000024